(57)【特許請求の範囲】
【請求項１】
ワイヤレス通信の方法であって、
無認可帯域でのデータのセットの送信を控えた送信機によって、成功したクリアチャネル評価（ＣＣＡ）を前記送信機のネットワークに割り当てられたＣＣＡ機会において検出することと、
前記成功したＣＣＡに応答して前記送信機によって、リスンビフォアトーク（ＬＢＴ）固定フレーム周期における前記データのセットのための送信の予定持続期間を決定することと、
前記送信機によって、前記送信機の前記ネットワークに割り当てられた前記ＣＣＡ機会と前記送信の前記予定持続期間とに基づいて、前記送信機に関連付けられたチャネル使用ビーコン信号（ＣＵＢＳ）の構成を選択することと、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信することと、
を備える、方法。
【請求項２】
ＣＵＢＳ送信のための前記周波数サブキャリアのセットは、ＣＵＢＳ送信のために利用可能な全てのサブキャリアのサブセットである、請求項１に記載の方法。
【請求項３】
前記サブセットは、複数の重複しないサブセットのうちの１つである、請求項２に記載の方法。
【請求項４】
前記複数の重複しないサブセットの数が利用可能なＣＣＡ機会の総数以上であるとき、各ＣＣＡ機会が前記複数の重複しないサブセットのうちの一意の重複しないサブセットに関連付けられる、請求項３に記載の方法。
【請求項５】
前記複数の重複しないサブセットの数が利用可能なＣＣＡ機会の総数未満であるとき、各ＣＣＡ機会と前記複数の重複しないサブセットとの間のアソシエーションは、時間スロット依存である、請求項３に記載の方法。
【請求項６】
前記構成を選択することは、
前記予定持続期間が予め決められた時間を超えることに失敗するとき、第１の構成を選択することと、
前記予定持続期間が前記予め決められた時間を超えるとき、第２の構成を選択することと、
を含む、請求項１に記載の方法。
【請求項７】
前記送信特性に従って送信することは、
前記ＣＣＡ機会に関連付けられたサブフレームの１つまたは複数のシンボルの各々において前記ＣＵＢＳを送信することと、ここにおいて、前記送信することは、前記ＣＣＡ機会に関連する前記１つまたは複数のシンボルの第１のシンボルにおいて始まる、
利用可能なＣＣＡ機会のセットに関連付けられた複数の直交チャネルから１つの直交チャネルを選択することと、ここにおいて、前記選択された直交チャネルは、前記検出されたＣＣＡ機会に対応する、
前記送信機によって、２つ以上のアンテナで前記ＣＵＢＳを送信することと、ここにおいて、前記２つ以上のアンテナの各々で送信された前記ＣＵＢＳは、前記２つ以上のアンテナのうちのその他で送信された前記ＣＵＢＳから位相シフトされる、
前記送信機によって、単一のポートを使用する２つ以上のアンテナで送信された前記ＣＵＢＳを送信することと、ここにおいて、送信された各ＣＵＢＳは、互いに時間オフセットされる、
のうちの１つを含む、請求項１に記載の方法。
【請求項８】
前記ＣＵＢＳの周波数トーンマップの各奇数のリソース要素をゼロに設定することと、
前記送信することの前に、時間ドメイン信号に前記ＣＵＢＳの前記周波数トーンマップを変換することと、ここにおいて、前記時間ドメイン信号は、伸ばされたサイクリックプリフィックスを含む、
によって、前記ＣＵＢＳを生成すること、
をさらに含む、請求項１に記載の方法。
【請求項９】
ワイヤレス通信の方法であって、
受信機によって、前記受信機のネットワークに割り当てられたクリアチャネル評価（ＣＣＡ）機会において、チャネル使用ビーコン信号（ＣＵＢＳ）を検出することと、ここにおいて、前記ＣＵＢＳの構成は、前記受信機と通信状態にある送信機を識別する、
前記ＣＵＢＳに基づいて、前記受信機によって自動利得制御（ＡＧＣ）を設定することと、
前記受信機によって、前記構成に基づいて前記送信機からの予定送信時間を決定することと、
前記受信機によって、前記ＡＧＣを使用して、前記予定送信時間内に前記送信機からデータ送信を受信することと、
前記予定送信時間の後、前記受信することを非活性化することと、
を備える、方法。
【請求項１０】
前記決定することは、
前記ＣＵＢＳの第１の構成を検出することと、ここにおいて、前記第１の構成は、長さ半分のフレームの前記予定送信時間を示し、さらに１つまたは複数のシステム信号が前記長さ半分のフレーム内に位置付けられることを示す、または
前記ＣＵＢＳの第２の構成を検出することと、ここにおいて、前記第２の構成は、フルの長さのフレームの前記予定送信時間を示し、さらに１つまたは複数のシステム信号が前記フルの長さのフレーム内に位置付けられることを示す、
のうちの１つを含む、請求項９に記載の方法。
【請求項１１】
前記送信機を識別する前記ＣＵＢＳのために、前記ＣＣＡ機会の複数のリソース要素を探索することをさらに含み、前記探索することは、
前記複数のリソース要素中の第１のリソース要素から３つのリソース要素ごとに前記ＣＵＢＳを示すパターンを探索することと、
１つのリソース要素によって、前記第１のリソース要素からシフトされた第２のリソース要素から３つのリソース要素ごとに前記ＣＵＢＳを示す前記パターンを探索することと、
１つのリソース要素によって、前記第２のリソース要素からシフトされた第３のリソース要素から３つのリソース要素ごとに前記ＣＵＢＳを示す前記パターンを探索することと、
をさらに含む、請求項９に記載の方法。
【請求項１２】
近隣ネットワークＣＣＡ機会において近隣ネットワークＣＵＢＳを検出することと、
前記ＣＵＢＳと前記近隣ネットワークＣＵＢＳとの間の観測された電力差異を決定することと、
前記送信機によって、前記観測された電力差異が予め決定されたしきい値を超えることに失敗するとき、どの干渉除去も行わないことと、
前記送信機によって、前記観測された電力差異が前記予め決定されたしきい値を超えるとき、干渉除去を行うことと、
をさらに含む、請求項９に記載の方法。
【請求項１３】
請求項１乃至１２のいずれかに記載の前記方法をコンピュータに行わせるためのプログラムコードを記録したコンピュータ可読媒体。
【請求項１４】
ワイヤレス通信のために構成された装置であって、
無認可帯域でのデータのセットの送信を控えた送信機によって、成功したクリアチャネル評価（ＣＣＡ）を前記送信機のネットワークに割り当てられたＣＣＡ機会において検出するための手段と、
前記成功したＣＣＡに応答して前記送信機によって、リスンビフォアトーク（ＬＢＴ）固定フレーム周期における前記データのセットのための送信の予定持続期間を決定するための手段と、
前記送信機によって、前記送信機の前記ネットワークに割り当てられた前記ＣＣＡ機会と前記送信の前記予定持続期間とに基づいて、前記送信機に関連付けられたチャネル使用ビーコン信号（ＣＵＢＳ）の構成を選択するための手段と、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信するための手段と、
を備える、装置。
【発明の詳細な説明】
【関連出願の相互参照】
【０００１】
[0001]  本出願は、２０１３年１０月２１日付で出願された、「CHANNEL USAGE BEACON SIGNAL DESIGN FOR COOPERATIVE COMMUNICATION SYSTEMS」という題名の米国仮特許出願番号第６１／８９３，７７６号、および２０１４年１０月２０日付で出願された、「CHANNEL USAGE BEACON SIGNAL DESIGN FOR COOPERATIVE COMMUNICATION SYSTEMS」という題名の米国実用特許出願番号第１４／５１８，７４４号の利益を主張し、これらが全体として明示的に本明細書に参照によって組み込まれる。
【技術分野】
【０００２】
[0002]  本開示の態様は一般にワイヤレス通信システムに関し、より具体的には、協調通信システムのためのチャネル使用ビーコン信号（ＣＵＢＳ）設計に関する。
【背景技術】
【０００３】
[0003]  ワイヤレス通信ネットワークは、音声、ビデオ、パケットデータ、メッセージング、ブロードキャストのような様々な通信サービスを提供するために広く展開されている。これらワイヤレスネットワークは、利用可能なネットワークリソースを共有することによって複数のユーザをサポートする能力を有する多元接続ネットワークであり得る。こうしたネットワークは、通常多元接続ネットワークであって、利用可能なネットワークリソースを共有することによって複数のユーザのための通信をサポートする。こうしたネットワークの一例はユニバーサル地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイル電気通信システム（ＵＭＴＳ）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  ワイヤレス通信ネットワークは、いくつかのユーザ機器（ＵＥ）のための通信をサポート可能ないくつかの基地局またはノードＢを含み得る。ＵＥは、ダウンリンクおよびアップリンクを介して基地局と通信できる。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]  基地局は、ＵＥにダウンリンク上でデータおよび制御情報を送信し、および／または、ＵＥからアップリンク上でデータおよび制御情報を受信し得る。ダウンリンク上では、基地局からの送信が、近隣基地局からの、または他のワイヤレス無線周波数（ＲＦ）送信機からの送信による干渉に遭遇し得る。アップリンク上では、ＵＥからの送信が、近隣基地局と通信する他のＵＥのアップリンク送信からの、または他のワイヤレスＲＦ送信機からの干渉に遭遇し得る。この干渉は、ダウンリンクとアップリンクの両方でパフォーマンスを劣化させ得る。
【０００６】
[0006]  モバイルブロードバンドアクセスに対する需要が高まり続けることから、より多くのＵＥが長距離ワイヤレス通信ネットワークにアクセスし、より多くの短距離ワイヤレスシステムがコミュニティに配置されるにことに伴って、干渉および輻輳ネットワークの可能性が増大している。研究開発は、モバイルブロードバンドアクセスに対して高まる需要を満たすためだけでなく、モバイル通信のユーザエクスペリエンスを進歩および向上させるためにもＵＭＴＳ技術を進歩させ続けている。
【発明の概要】
【０００７】
[0007]  本開示の一態様では、ワイヤレス通信の方法が、無認可帯域でのデータのセットの送信を控えた(in preparation for transmission of a set of data over an unlicensed band)送信機によって、送信機のネットワークに割り当てられたクリアチャネル評価（ＣＣＡ）機会においてクリアＣＣＡを検出することと、送信機によって、送信機のネットワークに割り当てられたＣＣＡ機会に基づいて、送信機に関連付けられたチャネル使用ビーコン信号（ＣＵＢＳ）の構成を選択することと、ここにおいて、送信機に関連付けられたＣＵＢＳの構成は、ＣＵＢＳ送信のための周波数サブキャリアのセットを含む、送信機によって、ＣＣＡ機会に基づき送信特性に従ってＣＵＢＳを送信することと、を含む。
【０００８】
[0008]  本開示のさらなる態様では、ワイヤレス通信の方法が、受信機によって、受信機のネットワークに割り当てられたクリアＣＣＡ機会においてＣＵＢＳを検出することと、ここにおいて、ＣＵＢＳの構成は、受信機と通信状態にある送信機を識別する、ＣＵＢＳに基づいて受信機によって自動利得制御（ＡＧＣ）を設定することと、構成に基づいて送信機からの予定送信時間(expected transmission time)を決定することと、受信機によって、ＡＧＣを使用して予定送信時間内に送信機からデータ送信を受信することと、予定送信時間後に受信することを非活性化することと、を含む。
【０００９】
[0009]  本開示の別の態様では、ワイヤレス通信のために構成された装置が、無認可帯域でのデータのセットの送信を控えた送信機によって、送信機のネットワークに割り当てられたＣＣＡ機会においてクリアＣＣＡを検出するための手段と、送信機によって、送信機のネットワークに割り当てられたＣＣＡ機会に基づいて、送信機に関連付けられたＣＵＢＳの構成を選択するための手段と、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信するための手段と、を含む。
【００１０】
[0010]  本開示のさらなる態様では、ワイヤレス通信のために構成された装置が、受信機によって、受信機のネットワークに割り当てられたクリアＣＣＡ機会においてＣＵＢＳを検出するための手段と、ここにおいて、ＣＵＢＳの構成は、受信機と通信状態にある送信機を識別する、ＣＵＢＳに基づいて受信機によってＡＧＣを設定するための手段と、受信機によって、構成に基づいて送信機からの予定送信時間を決定するための手段と、受信機によって、ＡＧＣを使用して予定送信時間内に送信機からデータ送信を受信するための手段と、予定送信時間後に受信することを非活性化するための手段と、を含む。
【００１１】
[0011]  本開示のさらなる態様では、コンピュータ可読媒体がこの上に記録されたプログラムコードを有する。このプログラムコードは、無認可帯域でのデータのセットの送信を控えた送信機によって、送信機のネットワークに割り当てられたＣＣＡ機会においてクリアＣＣＡを検出するためのコードと、送信機によって、送信機のネットワークに割り当てられたＣＣＡ機会に基づいて、送信機に関連付けられたＣＵＢＳの構成を選択するためのコードと、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信するためのコードと、を含む。
【００１２】
[0012]  本開示のさらなる態様では、コンピュータ可読媒体がこの上に記録されたプログラムコードを有する。このプログラムコードは、受信機によって、受信機のネットワークに割り当てられたクリアＣＣＡ機会においてＣＵＢＳを検出するためのコードと、ここにおいて、ＣＵＢＳの構成は、受信機と通信状態にある送信機を識別する、ＣＵＢＳに基づいて受信機によってＡＧＣを設定するためのコードと、受信機によって、構成に基づいて送信機からの予定送信時間を決定するためのコードと、受信機によって、ＡＧＣを使用して予定送信時間内に送信機からデータ送信を受信するためのコードと、予定送信時間後に受信することを非活性化するためのコードと、を含む。
【００１３】
[0013]  本開示のさらなる態様では、装置が、少なくとも１つのプロセッサ、およびそのプロセッサに結合されたメモリを含む。そのプロセッサは、無認可帯域でのデータのセットの送信を控えた送信機によって、送信機のネットワークに割り当てられたＣＣＡ機会においてクリアＣＣＡを検出することと、送信機によって、送信機のネットワークに割り当てられたＣＣＡ機会に基づいて、送信機に関連付けられたＣＵＢＳの構成を選択することと、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信することと、を行うように構成される。
【００１４】
[0014]  本開示のさらなる態様では、装置が、少なくとも１つのプロセッサ、およびそのプロセッサに結合されたメモリを含む。そのプロセッサは、受信機によって、受信機のネットワークに割り当てられたクリアＣＣＡ機会においてＣＵＢＳを検出することを行うように構成され、ここにおいて、ＣＵＢＳの構成は、受信機と通信状態にある送信機を識別し、そのプロセッサはさらに、ＣＵＢＳに基づいて受信機によってＡＧＣを設定することと、受信機によって、構成に基づいて送信機からの予定送信時間を決定することと、受信機によって、ＡＧＣを使用して予定送信時間内に送信機からデータ送信を受信することと、予定送信時間後に受信することを非活性化することと、を行うように構成される。
【００１５】
[0015]  本開示のさらなる態様では、ワイヤレス通信の方法が、送信機で、送信機のネットワークに割り当てられたＣＣＡ機会に基づいて、送信機に関連付けられたＣＵＢＳの構成を受信することを含み、送信機に関連付けられたＣＵＢＳの構成は、送信機によるＣＵＢＳ送信のために識別された仮想周波数サブキャリアのセットを含む。その方法はまた、送信機によって、送信機によるＣＵＢＳ送信のために物理周波数サブキャリアのセットに仮想周波数サブキャリアのセットをマッピングすることと、送信機によって、物理周波数サブキャリアのセット上でその構成に従って、ＣＵＢＳを送信することと、を含む。
【００１６】
[0016]  開示された方法の説明されたマッピングはまた、仮想周波数サブキャリアのセットの置換によって、物理周波数サブキャリアのセットに仮想周波数サブキャリアのセットをマッピングすることを含み得る。
【００１７】
[0017]  説明された置換はまた、擬似ランダム置換であり得るか仮想周波数サブキャリアのセットの複数の置換のうちの１つであり得、その置換は、ネットワークに割り当てられたＣＣＡ機会に割り当てられる。複数の置換のうちのこうした置換は、ＣＣＡ機会にランダムに割り当てられ得る。
【００１８】
[0018]  本開示のさらなる態様では、ワイヤレス通信の方法が、無認可帯域でのデータのセットの送信を控えた送信機によって、送信機のネットワークに割り当てられたＣＣＡ機会においてクリアＣＣＡを検出することと、送信機によって、送信機のネットワークに割り当てられたＣＣＡ機会に基づいて、送信機に関連付けられたＣＵＢＳの構成を選択することと、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信することと、を含む。
【００１９】
[0019]  ＣＵＢＳ送信のための周波数サブキャリアのセットの説明された１つまたは複数の周波数サブキャリアは、送信機に関連付けられたセル識別子（セルＩＤ）から独立して決定され得る。説明された方法はまた、ＣＵＢＳのスクランブリングシーケンスを含むことができ、送信機のセルＩＤに依存して決定される。
【００２０】
[0020]  本開示のさらなる態様では、ワイヤレス通信の方法が、送信機で、送信機のネットワークに割り当てられたＣＣＡ機会に基づいて送信機に関連付けられたＣＵＢＳの送信シーケンス構成を受信することと、ここにおいて、送信機に関連付けられたＣＵＢＳの送信シーケンス構成は、ＣＣＡ機会に関連付けられた複数のシンボルの各リソース要素内の周波数サブキャリアのセットでのＣＵＢＳに関する送信シーケンスの識別を含む、送信機によって、送信シーケンスにおいて識別された周波数サブキャリアのセットでＣＵＢＳを送信することと、ここにおいて、２つの連続するＣＵＢＳ送信が、複数の利用可能なＣＣＡ機会のうちの最後を除いた各々のＣＣＡ機会に関して衝突する近隣ＣＵＢＳ送信が存在しない周波数サブキャリアのセットのうちの１つまたは複数の周波数サブキャリアで送信されるか、または複数の利用可能なＣＣＡ機会のうちの最後に割り当てられたネットワークにおける送信機のＣＵＢＳ送信が衝突する近隣ＣＵＢＳ送信が存在しない周波数サブキャリアのセットのうちの１つの周波数サブキャリアで送信されるか、のどちらかである、を含む。
【００２１】
[0021]  説明された態様の２つの連続するＣＵＢＳ送信はまた、周波数サブキャリアのセットのうちの２つの異なる周波数サブキャリアで送信され得るか、または周波数サブキャリアのセットのうちの同じ周波数サブキャリアで送信され得る。
【００２２】
[0022]  本開示のさらなる態様では、ワイヤレス通信の方法が、受信機で、送信機からのＣＵＢＳ送信のためにリスンすることと、送信機からのＣＵＢＳ送信のために識別された複数の周波数サブキャリアのうちの第１の無認可サブキャリア上の第１の送信を検出することと、送信機からのＣＵＢＳ送信のために識別された複数の周波数サブキャリアのうちの第２の無認可サブキャリア上の第２の送信を検出することと、第１および第２の送信が送信機からのＣＵＢＳ送信であるかどうかを決定するために第１の送信および第２の送信を復号することと、を含む。
【００２３】
[0023]  説明された第１の無認可サブキャリアは、第２の無認可サブキャリアとは異なり得、復号することは、第２の送信とは別個に第１の送信を復号することを含む。説明された第１の無認可サブキャリアはまた、第２の無認可サブキャリアと同じであり得、復号することは、第１の送信および第２の送信を組み合わされた送信に組み合わせることと、その組み合わされた送信を復号することと、を含む。
【００２４】
[0024]  本開示のさらなる態様では、ワイヤレス通信のために構成された装置が、送信機で、送信機のネットワークに割り当てられたＣＣＡ機会に基づいて、送信機に関連付けられたＣＵＢＳの構成を受信するための手段を含み、送信機に関連付けられたＣＵＢＳの構成は、送信機によるＣＵＢＳ送信のために識別された仮想周波数サブキャリアのセットを含む。その方法はまた、送信機によって、送信機によるＣＵＢＳ送信のために物理周波数サブキャリアのセットに仮想周波数サブキャリアのセットをマッピングするための手段と、送信機によって、物理周波数サブキャリアのセット上でその構成に従って、ＣＵＢＳを送信するための手段と、を含む。
【００２５】
[0025]  開示された装置の説明されたマッピングするための手段はまた、仮想周波数サブキャリアのセットの置換によって、物理周波数サブキャリアのセットに仮想周波数サブキャリアのセットをマッピングするための手段を含み得る。
【００２６】
[0026]  説明された置換はまた、擬似ランダム置換であり得るか仮想周波数サブキャリアのセットの複数の置換のうちの１つであり得、その置換は、ネットワークに割り当てられたＣＣＡ機会に割り当てられる。複数の置換のうちのこうした置換は、ＣＣＡ機会にランダムに割り当てられ得る。
【００２７】
[0027]  本開示のさらなる態様では、ワイヤレス通信のために構成された装置が、無認可帯域でのデータのセットの送信を控えた送信機によって、送信機のネットワークに割り当てられたＣＣＡ機会においてクリアＣＣＡを検出するための手段と、送信機によって、送信機のネットワークに割り当てられたＣＣＡ機会に基づいて、送信機に関連付けられたＣＵＢＳの構成を選択するための手段と、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信するための手段と、を含む。
【００２８】
[0028]  ＣＵＢＳ送信のための周波数サブキャリアのセットの説明された１つまたは複数の周波数サブキャリアは、送信機に関連付けられたセル識別子（セルＩＤ）から独立して決定され得る。説明された装置はまた、ＣＵＢＳのスクランブリングシーケンスを含むことができ、送信機のセルＩＤに依存して決定される。
【００２９】
[0029]  本開示のさらなる態様では、ワイヤレス通信のために構成された装置が、送信機で、送信機のネットワークに割り当てられたＣＣＡ機会に基づいて送信機に関連付けられたＣＵＢＳの送信シーケンス構成を受信するための手段と、ここにおいて、送信機に関連付けられたＣＵＢＳの送信シーケンス構成は、ＣＣＡ機会に関連付けられた複数のシンボルの各リソース要素内の周波数サブキャリアのセットでのＣＵＢＳに関する送信シーケンスの識別を含む、送信機によって、送信シーケンスにおいて識別された周波数サブキャリアのセットでＣＵＢＳを送信するための手段と、ここにおいて、２つの連続するＣＵＢＳ送信が、複数の利用可能なＣＣＡ機会のうちの最後を除いた各々のＣＣＡ機会に関して衝突する近隣ＣＵＢＳ送信が存在しない周波数サブキャリアのセットのうちの１つまたは複数の周波数サブキャリアで送信されるか、または複数の利用可能なＣＣＡ機会のうちの最後に割り当てられたネットワークにおける送信機のＣＵＢＳ送信が衝突する近隣ＣＵＢＳ送信が存在しない周波数サブキャリアのセットのうちの１つの周波数サブキャリアで送信されるか、のどちらかである、を含む。
【００３０】
[0030]  説明された態様の２つの連続するＣＵＢＳ送信はまた、周波数サブキャリアのセットのうちの２つの異なる周波数サブキャリアで送信され得るか、または周波数サブキャリアのセットのうちの同じ周波数サブキャリアで送信され得る。
【００３１】
[0031]  本開示のさらなる態様では、ワイヤレス通信のために構成された装置が、受信機で、送信機からのＣＵＢＳ送信のためにリスンするための手段と、送信機からのＣＵＢＳ送信のために識別された複数の周波数サブキャリアのうちの第１の無認可サブキャリア上の第１の送信を検出するための手段と、送信機からのＣＵＢＳ送信のために識別された複数の周波数サブキャリアのうちの第２の無認可サブキャリア上の第２の送信を検出するための手段と、第１および第２の送信が送信機からのＣＵＢＳ送信であるかどうかを決定するために第１の送信および第２の送信を復号するための手段と、を含む。
【００３２】
[0032]  説明された第１の無認可サブキャリアは、第２の無認可サブキャリアとは異なり得、復号するための手段は、第２の送信とは別個に第１の送信を復号することを含む。説明された第１の無認可サブキャリアはまた、第２の無認可サブキャリアと同じであり得、復号するための手段は、第１の送信および第２の送信を組み合わされた送信に組み合わせるための手段と、その組み合わされた送信を復号するための手段と、を含む。
【００３３】
[0033]  本開示のさらなる態様では、コンピュータ可読媒体がこの上に記録されたプログラムコードを有する。このプログラムコードは、送信機で、送信機のネットワークに割り当てられたＣＣＡ機会に基づいて、送信機に関連付けられたＣＵＢＳの構成を受信するためのコードを含み、送信機に関連付けられたＣＵＢＳの構成は、送信機によるＣＵＢＳ送信のために識別された仮想周波数サブキャリアのセットを含む。このプログラムコードはまた、送信機によって、送信機によるＣＵＢＳ送信のために物理周波数サブキャリアのセットに仮想周波数サブキャリアのセットをマッピングするためのコードと、送信機によって、物理周波数サブキャリアのセット上でその構成に従って、ＣＵＢＳを送信するためのコードと、を含む。
【００３４】
[0034]  開示されたプログラムコードの説明されたマッピングするためのコードはまた、仮想周波数サブキャリアのセットの置換によって、物理周波数サブキャリアのセットに仮想周波数サブキャリアのセットをマッピングするためのコードを含むことがきる。
【００３５】
[0035]  説明された置換はまた、擬似ランダム置換であり得るか仮想周波数サブキャリアのセットの複数の置換のうちの１つであり得、その置換は、ネットワークに割り当てられたＣＣＡ機会に割り当てられる。複数の置換のうちのこうした置換は、ＣＣＡ機会にランダムに割り当てられ得る。
【００３６】
[0036]  本開示のさらなる態様では、コンピュータ可読媒体がこの上に記録されたプログラムコードを有する。このプログラムコードは、無認可帯域でのデータのセットの送信を控えた送信機によって、送信機のネットワークに割り当てられたＣＣＡ機会においてクリアＣＣＡを検出するためのコードと、送信機によって、送信機のネットワークに割り当てられたＣＣＡ機会に基づいて、送信機に関連付けられたＣＵＢＳの構成を選択するためのコードと、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信するためのコードと、を含む。
【００３７】
[0037]  ＣＵＢＳ送信のための周波数サブキャリアのセットの説明された１つまたは複数の周波数サブキャリアは、送信機に関連付けられたセル識別子（セルＩＤ）から独立して決定され得る。説明されたプログラムコードはまた、ＣＵＢＳのスクランブリングシーケンスが送信機のセルＩＤに依存して決定されること、を含み得る。
【００３８】
[0038]  本開示のさらなる態様では、コンピュータ可読媒体がこの上に記録されたプログラムコードを有する。このプログラムコードは、送信機で、送信機のネットワークに割り当てられたＣＣＡ機会に基づいて送信機に関連付けられたＣＵＢＳの送信シーケンス構成を受信するためのコードと、ここにおいて、送信機に関連付けられたＣＵＢＳの送信シーケンス構成は、ＣＣＡ機会に関連付けられた複数のシンボルの各リソース要素内の周波数サブキャリアのセットでのＣＵＢＳに関する送信シーケンスの識別を含む、送信機によって、送信シーケンスにおいて識別された周波数サブキャリアのセットでＣＵＢＳを送信するためのコードと、ここにおいて、２つの連続するＣＵＢＳ送信が、複数の利用可能なＣＣＡ機会のうちの最後を除いた各々のＣＣＡ機会に関して衝突する近隣ＣＵＢＳ送信が存在しない周波数サブキャリアのセットのうちの１つまたは複数の周波数サブキャリアで送信されるか、または複数の利用可能なＣＣＡ機会のうちの最後に割り当てられたネットワークにおける送信機のＣＵＢＳ送信が衝突する近隣ＣＵＢＳ送信が存在しない周波数サブキャリアのセットのうちの１つの周波数サブキャリアで送信されるか、のどちらかである、を含む。
【００３９】
[0039]  説明された態様の２つの連続するＣＵＢＳ送信はまた、周波数サブキャリアのセットのうちの２つの異なる周波数サブキャリアで送信され得るか、または周波数サブキャリアのセットのうちの同じ周波数サブキャリアで送信され得る。
【００４０】
[0040]  本開示のさらなる態様では、コンピュータ可読媒体がこの上に記録されたプログラムコードを有する。このプログラムコードは、受信機で、送信機からのＣＵＢＳ送信のためにリスンするためのコードと、送信機からのＣＵＢＳ送信のために識別された複数の周波数サブキャリアのうちの第１の無認可サブキャリア上の第１の送信を検出するためのコードと、送信機からのＣＵＢＳ送信のために識別された複数の周波数サブキャリアのうちの第２の無認可サブキャリア上の第２の送信を検出するためのコードと、第１および第２の送信が送信機からのＣＵＢＳ送信であるかどうかを決定するために第１の送信および第２の送信を復号するためのコードと、を含む。
【００４１】
[0041]  説明された第１の無認可サブキャリアは、第２の無認可サブキャリアとは異なり得、復号するためのコードは、第２の送信とは別個に第１の送信を復号するためのコードを含む。説明された第１の無認可サブキャリアはまた、第２の無認可サブキャリアと同じであり得、復号するためのコードは、第１の送信および第２の送信を組み合わされた送信に組み合わせるためのコードと、その組み合わされた送信を復号するためのコードと、を含む。
【００４２】
[0042]  本開示のさらなる態様では、装置が、少なくとも１つのプロセッサ、およびそのプロセッサに結合されたメモリを含む。プロセッサは、送信機で、送信機のネットワークに割り当てられたＣＣＡ機会に基づいて、送信機に関連付けられたＣＵＢＳの構成を受信するように構成され、送信機に関連付けられたＣＵＢＳの構成は、送信機によるＣＵＢＳ送信のために識別された仮想周波数サブキャリアのセットを含む。その装置はまた、送信機によって、送信機によるＣＵＢＳ送信のために物理周波数サブキャリアのセットに仮想周波数サブキャリアのセットをマッピングし、送信機によって、物理周波数サブキャリアのセット上で構成に従って、ＣＵＢＳを送信する、プロセッサの構成を含む。
【００４３】
[0043]  開示された装置の、説明されたマッピングするプロセッサの構成はまた、仮想周波数サブキャリアのセットの置換によって、物理周波数サブキャリアのセットに仮想周波数サブキャリアのセットをマッピングする構成を含むことがきる。
【００４４】
[0044]  説明された置換はまた、擬似ランダム置換であり得るか仮想周波数サブキャリアのセットの複数の置換のうちの１つであり得、その置換は、ネットワークに割り当てられたＣＣＡ機会に割り当てられる。複数の置換のうちのこうした置換は、ＣＣＡ機会にランダムに割り当てられ得る。
【００４５】
[0045]  本開示のさらなる態様では、装置が、少なくとも１つのプロセッサ、およびそのプロセッサに結合されたメモリを含む。そのプロセッサは、無認可帯域でのデータのセットの送信を控えた送信機によって、送信機のネットワークに割り当てられたＣＣＡ機会においてクリアＣＣＡを検出することと、送信機によって、送信機のネットワークに割り当てられたＣＣＡ機会に基づいて、送信機に関連付けられたＣＵＢＳの構成を選択することと、ここにおいて、送信機に関連付けられたＣＵＢＳの構成は、ＣＵＢＳ送信のための周波数サブキャリアのセットを含む、送信機によって、ＣＣＡ機会に基づく送信特性に従って、ＣＵＢＳを送信することと、を行うように構成される。
【００４６】
[0046]  ＣＵＢＳ送信のための周波数サブキャリアのセットの説明された１つまたは複数の周波数サブキャリアは、送信機に関連付けられたセル識別子（セルＩＤ）から独立して決定され得る。説明された装置はまた、ＣＵＢＳのスクランブリングシーケンスが送信機のセルＩＤに依存して決定されること、を含み得る。
【００４７】
[0047]  本開示のさらなる態様では、装置が、少なくとも１つのプロセッサ、およびそのプロセッサに結合されたメモリを含む。そのプロセッサは、送信機で、送信機のネットワークに割り当てられたＣＣＡ機会に基づいて送信機に関連付けられたＣＵＢＳの送信シーケンス構成を受信し、ここにおいて、送信機に関連付けられたＣＵＢＳの送信シーケンス構成は、ＣＣＡ機会に関連付けられた複数のシンボルの各リソース要素内の周波数サブキャリアのセットでのＣＵＢＳに関する送信シーケンスの識別を含む、送信機によって、送信シーケンスにおいて識別された周波数サブキャリアのセットでＣＵＢＳを送信する、ここにおいて、２つの連続するＣＵＢＳ送信が、複数の利用可能なＣＣＡ機会のうちの最後を除いた各々のＣＣＡ機会に関して衝突する近隣ＣＵＢＳ送信が存在しない周波数サブキャリアのセットのうちの１つまたは複数の周波数サブキャリアで送信されるか、または複数の利用可能なＣＣＡ機会のうちの最後に割り当てられたネットワークにおける送信機のＣＵＢＳ送信が衝突する近隣ＣＵＢＳ送信が存在しない周波数サブキャリアのセットのうちの１つの周波数サブキャリアで送信されるか、のどちらかである、ように構成される。
【００４８】
[0048]  説明された態様の２つの連続するＣＵＢＳ送信はまた、周波数サブキャリアのセットのうちの２つの異なる周波数サブキャリアで送信され得るか、または周波数サブキャリアのセットのうちの同じ周波数サブキャリアで送信され得る。
【００４９】
[0049]  本開示のさらなる態様では、装置が、少なくとも１つのプロセッサ、およびそのプロセッサに結合されたメモリを含む。そのプロセッサは、受信機で、送信機からのＣＵＢＳ送信のためにリスンし、送信機からのＣＵＢＳ送信のために識別された複数の周波数サブキャリアのうちの第１の無認可サブキャリア上の第１の送信を検出し、送信機からのＣＵＢＳ送信のために識別された複数の周波数サブキャリアのうちの第２の無認可サブキャリア上の第２の送信を検出し、第１および第２の送信が送信機からのＣＵＢＳ送信であるかどうかを決定するために第１の送信および第２の送信を復号する、ように構成される。
【００５０】
[0050]  説明された第１の無認可サブキャリアは、第２の無認可サブキャリアとは異なり得、復号するプロセッサの構成は、第２の送信とは別個に第１の送信を復号する構成を含む。説明された第１の無認可サブキャリアはまた、第２の無認可サブキャリアと同じであり得、復号するプロセッサの構成は、第１の送信および第２の送信を組み合わされた送信に組み合わせ、組み合わされた送信を復号する構成を含む。
【図面の簡単な説明】
【００５１】
【図１】様々な実施形態に従う、ワイヤレス通信システムの例を例示する図を示す。
【図２Ａ】様々な実施形態に従う、無認可スペクトルにおいてＬＴＥ（登録商標）を使用するための配置シナリオの例を例示する図を示す。
【図２Ｂ】様々な実施形態に従う、無認可スペクトルにおいてＬＴＥを使用するための配置シナリオの別の例を例示する図を示す。
【図３】様々な実施形態に従う、認可および無認可スペクトルにおいて同時にＬＴＥを使用するときのキャリアアグリゲーションの例を例示する図を示す。
【図４】本開示の一態様に従って構成された基地局／ｅＮＢおよびＵＥの設計を概念的に例示するブロック図である。
【図５】無認可スペクトルを用いる同期ＬＴＥ／ＬＴＥ−Ａ通信システムにおける送信ストリームを例示するブロック図である。
【図６】無認可スペクトルを用いる同期ＬＴＥ／ＬＴＥ−Ａ通信システムにおける送信ストリームを例示するブロック図である。
【図７Ａ】本開示の態様を実装するために実行される実例的なブロックを例示する機能ブロック図である。
【図７Ｂ】本開示の態様を実装するために実行される実例的なブロックを例示する機能ブロック図である。
【図８】本開示の一態様を実装するために実行される実例的なブロックを例示する機能ブロック図である。
【図９Ａ】本開示の態様に従って構成された時間および周波数の全域の利用可能なＣＣＡ機会を含む送信ストリームを例示するブロック図である。
【図９Ｂ】本開示の態様に従って構成された時間および周波数の全域の利用可能なＣＣＡ機会を含む送信ストリームを例示するブロック図である。
【図１０】本開示の一態様に従う、利用可能なＣＣＡ機会での観測された電力レベルを例示する図である。
【図１１Ａ】本開示の一態様に従って構成されたＣＵＢＳ送信を例示する時間／周波数の図である。
【図１１Ｂ】本開示の一態様に従って構成されたＣＵＢＳ送信を例示する時間／周波数の図である。
【図１１Ｃ】本開示の一態様に従って構成されたＣＵＢＳ送信を例示する時間／周波数の図である。
【図１２】本開示の一態様を実装するために実行される実例的なブロックを例示する機能ブロック図である。
【詳細な説明】
【００５２】
[0064]  添付の図面にかんれんして以下で述べられる発明を実施するための形態は、様々な構成の説明として意図されており、本開示の範囲を限定するようには意図されていない。むしろ、発明を実施するための形態は、本発明の主題の完全な理解を提供する目的で具体的な詳細を含む。これら具体的な詳細は、全てのケースにおいて必要とされるわけではないこと、およびいくつかの事例では、周知の構造およびコンポーネントが提示の明確さのためにブロック図の形式で図示されていることが当業者に明らかになる。
【００５３】
[0065]  事業者はこれまで、セルラネットワークにおけるずっと高まってきたレベルの輻輳を軽減するために無認可スペクトルを使用する主要メカニズムとしてＷｉＦｉに目を向けてきた。しかしながら、無認可スペクトルを含むＬＴＥ、またはＬＴＥアドバンスド（ＬＴＥ−Ａ）に基づく新たなキャリアタイプ（ＮＣＴ）は、キャリアグレードＷｉＦｉと互換性があり得、無認可スペクトルを用いるＬＴＥ／ＬＴＥ−ＡをＷｉＦｉに対する代替手段にする。無認可スペクトルを用いるＬＴＥ／ＬＴＥ−Ａは、ＬＴＥコンセプトを活用でき、無認可スペクトルにおいて効果的な動作を提供し、規定の要件を満たためにいくつかの修正をネットワークデバイス、またはネットワークの物理レイヤ（ＰＨＹ）および媒体アクセス制御（ＭＡＣ）態様に導入できる。無認可スペクトルは、例えば、６００メガヘルツ（ＭＨｚ）から６ギガヘルツ（ＧＨｚ）に及び得る。いくつかのシナリオでは、無認可スペクトルを用いるＬＴＥ／ＬＴＥ−Ａが、ＷｉＦｉよりも著しく良好に機能し得る。例えば、（単一または複数の事業者のための）無認可スペクトルを含む全てがＬＴＥ／ＬＴＥ−Ａの配置が、全てがＷｉＦｉの配置と比較されると、または密集したスモールセル配置が存在するとき、無認可スペクトルを用いるＬＴＥ／ＬＴＥ−Ａは、ＷｉＦｉよりも著しく良好に機能し得る。無認可スペクトルを用いるＬＴＥ／ＬＴＥ−Ａは、無認可スペクトルを用いるスペクトルが（単一または複数の事業者のために）ＷｉＦｉと混合される場合のような他のシナリオにおいて、良好に機能し得る。
【００５４】
[0066]  単一のサービスプロバイダ（ＳＰ）では、無認可スペクトルを用いるＬＴＥ／ＬＴＥ−Ａネットワークが、認可スペクトル上のＬＴＥネットワークと同期するように構成され得る。しかしながら、複数のＳＰによって所与のチャンネル上に配置される無認可スペクトルを用いるＬＴＥ／ＬＴＥ−Ａネットワークは、その複数のＳＰで同期するように構成され得る。上記の特徴の両方を組み込む１つの手法は、所与のＳＰに対して無認可スペクトルを用いるＬＴＥ／ＬＴＥ−ＡとＬＴＥとの間で一定のタイミングオフセットを使用することを伴い得る。無認可スペクトルを用いるＬＴＥ／ＬＴＥ−Ａネットワークは、ＳＰのニーズに従って、ユニキャストおよび／またはマルチキャストサービスを提供し得る。さらに、無認可スペクトルを用いるＬＴＥ／ＬＴＥ−Ａネットワークは、ＬＴＥセルがアンカとして働いて、関連するＬＴＥ／ＬＴＥ−Ａに無認可スペクトルセル情報（例えば、無線フレームタイミング、共通チャネル構成、システムフレーム番号すなわちＳＦＮ、等）を提供する、ブートストラップモードで動作し得る。このモードでは、認可スペクトルを用いるＬＴＥと無認可スペクトルを用いるＬＴＥ／ＬＴＥ−Ａとの間に密接な相互作用が存在し得る。例えば、ブートストラップモードは、上で説明されたキャリアアグリゲーションモードおよび付加ダウンリンクをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−Ａネットワークが認可スペクトルを用いるＬＴＥスペクトルから独立して動作するスタンドアローンモードで動作し得る。このケースでは、例えば、無認可スペクトルを用いる同じ場所に位置するＬＴＥ／ＬＴＥ−ＡセルでのＲＬＣレベルのアグリゲーション、または複数のセルおよび／もしくは基地局にわたるマルチフローに基づいて、認可スペクトルを用いるＬＴＥ／ＬＴＥ−Ａネットワークと無認可スペクトルを用いるＬＴＥ／ＬＴＥ−Ａネットワークとの間にルーズな（loose）相互作用が存在し得る。
【００５５】
[0067]  本明細書で説明されている技術はＬＴＥに限定されず、ＣＤＭＡ、ＴＤＭＡ、ＦＤＭＡ、ＯＦＤＭＡ、ＳＣ−ＦＤＭＡ、および他のシステムのような様々なワイヤレス通信局システムのためにも使用され得る。「システム」および「ネットワーク」という用語は、度々、交換可能に使用される。ＣＤＭＡシステムは、ＣＤＭＡ２００、ユニバーサル地上無線アクセス（ＵＴＲＡ）等のような無線技術を実装し得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００  １Ｘ、１Ｘ等と称される。ＩＳ−８５６（ＴＩＡ−８５６）は一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術を実装し得る。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ等の無線技術を実装し得る。ＵＴＲＡおよびＥ−ＵＴＲＡは、ユニバーサルモバイルテレコミュニケ―ションシステム（ＵＭＴＳ）の一部である。ＬＴＥおよびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織による文書で説明されている。ＣＤＭＡ２０００およびＵＭＢは、「第３世代パートナーシッププロジェクト２」（３ＧＰＰ２）という名称の組織による文書で説明されている。本明細書で説明されている技法は、上記で言及されたシステムおよび無線技術、それに加えて他のシステムおよび無線技術のために使用され得る。しかしながら以下の説明は、例の目的でＬＴＥシステムを説明しており、ＬＴＥの専門用語が以下の説明のほとんどにおいて使用されているけれども、その技法はＬＴＥアプリケーションを超えて適用可能である。
【００５６】
[0068]  従って、以下の説明は例を提供しており、請求項において述べられている範囲、適用性、または構成の限定ではない。本開示の趣旨および範囲から逸脱することなく、論じられている要素の機能および配列において変更がなされ得る。様々な実施形態は、様々なプロシージャまたはコンポーネントを、適宜、省略、置換、または追加し得る。例えば、説明されている方法は、説明されているものとは異なる順序で行われ得、様々なステップが追加、省略、または組み合わされ得る。また、ある特定の実施形態に関して説明されている特徴は、他の実施形態で組み合され得る。
【００５７】
[0069]  まず図１を参照すると、図がワイヤレス通信システムまたはネットワーク１００の例を例示する。システム１００は、基地局（またはセル）１０５、通信デバイス１１５、およびコアネットワーク１３０を含む。基地局１０５は、様々な実施形態においてコアネットワーク１３０または基地局１０５の一部であり得る、基地局コントローラ（図示せず）の制御下で通信デバイス１１５と通信し得る。基地局１０５は、バックホールリンク１３２を通じて、コアネットワーク１３０と制御情報および／またはユーザデータを通信し得る。複数の例において、基地局１０５は、直接的にまたは間接的に、有線またはワイヤレス通信リンクであり得るバックホールリンク１３４で互いに通信し得る。システム１００は、複数のキャリア（異なる周波数の波形信号）上の動作をサポートし得る。マルチキャリア送信機は、複数のキャリア上で同時に変調された信号を送信できる。例えば、各通信リンク１２５は、上で説明された様々な無線技術に従って変調されたマルチキャリア信号であり得る。各変調された信号は、異なるキャリア上で送られ、制御情報（例えば、基準信号、制御チャネル等）、オーバヘッド情報、データ等を搬送し得る。
【００５８】
[0070]  基地局１０５は、１つまたは複数の基地局アンテナを介してデバイス１１５とワイヤレスに通信し得る。基地局１０５の各々は、該当する地理的エリア１１０のための通信カバレッジを提供し得る。いくつかの実施形態では、基地局１０５が、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適した専門用語で称され得る。基地局のためのカバレッジエリア１１０は、カバレッジエリア（図示せず）の一部のみを構成するセクタ（図示せず）に分割され得る。システム１００は、異なるタイプの基地局１０５（例えば、マクロ、マイクロ、および／またはピコ基地局）を含み得る。異なる技術に対して重複するカバレッジエリアが存在し得る。
【００５９】
[0071]  いくつかの実施形態では、システム１００が、１つまたは複数の動作の無認可スペクトルモードまたは配置シナリオをサポートするＬＴＥ／ＬＴＥ−Ａネットワークである。他の実施形態では、システム１００が、無認可スペクトルおよび無認可スペクトルを用いるＬＴＥ／ＬＴＥ−Ａネットワークとは異なるアクセス技術を使用するか、認可スペクトルおよびＬＴＥ／ＬＴＥ−Ａとは異なるアクセス技術を使用する、ワイヤレス通信をサポートし得る。発展型ノードＢ（ｅＮＢ）およびユーザ機器（ＵＥ）という用語は概して、基地局１０５およびデバイス１１５をそれぞれ説明するために使用され得る。システム１００は、異なるタイプのｅＮＢが様々な地理的領域のためのカバレッジを提供する、無認可スペクトルを用いる、または無認可スペクトルを用いない、異機種ＬＴＥ／ＬＴＥ−Ａネットワークであり得る。例えば、各ｅＮＢ１０５は、マクロセル、ピコセル、フェムトセル、および／または他のタイプのセルのための通信カバレッジを提供し得る。ピコセル、フェムトセル、および／または他のタイプのセルのようなスモールセルは、低電力ノードすなわちＬＰＮを含み得る。マクロセルは概して、比較的広い地理的エリア（例えば、半径数キロメートル）をカバーし、ネットワークプロバイダへのサービス加入を有するＵＥによる制限のないアクセスを可能にし得る。ピコセルは概して、比較的それより小さな地理的エリアをカバーし、ネットワークプロバイダへのサービス加入を有するＵＥによる制限のないアクセスを可能にし得る。フェムトセルもまた、概して、比較的狭い地理的エリア（例えば、家）をカバーし、制限のないアクセスに加え、フェムトセルとのアソシエーションを有するＵＥ（例えば、クローズド加入者グループ（ＣＳＧ）中のＵＥ、家の中のユーザのためのＵＥ、等）による制限されたアクセスを提供し得る。マクロセルのためのｅＮＢは、マクロｅＮＢと称され得る。ピコセルのためのｅＮＢは、ピコｅＮＢと称され得る。また、フェムトセルのためのｅＮＢは、フェムトｅＮＢまたはホームｅＮＢと称され得る。ｅＮＢは、１つまたは複数の（例えば、２つ、３つ、４つ等の）セルをサポートし得る。
【００６０】
[0072]  コアネットワーク１３０は、バックホール１３２（例えば、Ｓ１等）を介してｅＮＢ１０５と通信し得る。ｅＮＢ１０５はまた、例えば、バックホール１３４（例えば、Ｘ２等）を介しておよび／またはバックホールリンク１３２を介して（例えば、コアネットワーク１３０を通じて）、直接的にまたは間接的に、互いに通信し得る。システム１００は、同期または非同期動作をサポートし得る。同期動作では、ｅＮＢが類似のフレームおよび／またはゲートタイミングを有することができ、異なるｅＮＢからの送信が時間的に近似に整列され得る。非同期動作では、ｅＮＢが異なるフレームおよび／またはゲートタイミングを有することができ、異なるｅＮＢからの送信は、時間的に整列されないことがある。本明細書で説明されている技法は、同期または非同期のいずれかの動作に使用され得る。
【００６１】
[0073]  ＵＥ１１５はシステム１００全体にわたって分散され、各ＵＥは固定またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語としても当業者によって称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、または同様のものであり得る。ＵＥは、マクロｅＮＢ、ピコｅＮＢ、フェムトｅＮＢ、リレー等と通信することが可能であり得る。
【００６２】
[0074]  システム１００で図示されている通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信とも呼ばれ得、一方でアップリンク送信は逆方向リンク送信とも呼ばれ得る。ダウンリンク送信は、認可スペクトル（例えば、認可スペクトルを用いるＬＴＥ／ＬＴＥ−Ａネットワーク）、無認可スペクトル（例えば、無認可スペクトルを用いるＬＴＥ／ＬＴＥ−Ａネットワーク）、またはその両方、を使用して行われ得る。同様に、アップリンク送信は、認可スペクトル（例えば、認可スペクトルを用いるＬＴＥ／ＬＴＥ−Ａネットワーク）、無認可スペクトル（例えば、無認可スペクトルを用いるＬＴＥ／ＬＴＥ−Ａネットワーク）、またはその両方、を使用して行われ得る。
【００６３】
[0075]  システム１００のいくつかの実施形態では、認可スペクトルにおけるＬＴＥダウンリンク容量が無認可スペクトルにオフロードされ得る付加ダウンリンク（ＳＤＬ）モード、ＬＴＥダウンリンクおよびアップリンク容量の両方が認可スペクトルから無認可スペクトルにオフロードされ得るキャリアアグリゲーションモード、および基地局（例えば、ｅＮＢ）とＵＥとの間のＬＴＥダウンリンクおよびアップリンク通信が無認可スペクトルにおいて行われうるスタンドアローンモード、を含む、無認可スペクトルを用いるＬＴＥ／ＬＴＥ−Ａのための様々な配置シナリオがサポートされ得る。ＵＥ１１５と同様に基地局１０５は、これら、または同様の動作のモードのうちの１つまたは複数をサポートし得る。ＯＦＤＭＡ通信信号が、無認可スペクトルにおけるＬＴＥダウンリンク送信のために通信リンク１２５において使用され得る一方で、ＳＣ−ＦＤＭＡ通信信号は、無認可スペクトルにおけるＬＴＥアップリンク送信のために通信リンク１２５において使用され得る。システム１００のようなシステムにおける、無認可スペクトルを用いるＬＴＥ／ＬＴＥ−Ａの配置シナリオまたは動作のモードの実装、ならび無認可スペクトルを用いるＬＴＥ／ＬＴＥ−Ａの動作に関連する他の特徴および機能についてのさらなる詳細が、図２Ａ−１１Ｃを参照して以下で提供される。
【００６４】
[0076]  次に図２Ａに移ると、図２００は、付加ダウンリンクモード、および無認可スペクトルを用いるＬＴＥ／ＬＴＥ−Ａネットワークのためのキャリアアグリゲーションモードの例を示す。図２００は、図１のシステム１００の複数の部分の例であり得る。さらに、基地局１０５−ａが図１の基地局１０５の例でありうると同時に、ＵＥ１１５−ａは図１のＵＥ１１５の例であり得る。
【００６５】
[0077]  図２００における付加ダウンリンクモードの例では、基地局１０５−ａが、ダウンリンク２０５を使用してＯＦＤＭＡ通信信号をＵＥ１１５−ａに送信し得る。ダウンリンク２０５は、無認可スペクトルにおける周波数Ｆ１に関連付けられる。基地局１０５−ａは、双方向リンク２１０を使用して同じＵＥ１１５−ａにＯＦＤＭＡ通信信号を送信でき、双方向リンク２１０を使用してＵＥ１１５−ａからＳＣ−ＦＤＭＡ通信信号を受信できる。双方向リンク２１０は、認可スペクトルにおける周波数Ｆ４に関連付けられる。無認可スペクトルにおけるダウンリンク２０５および認可スペクトルにおける双方向リンク２１０は、同時に動作し得る。ダウンリンク２０５は、基地局１０５−ａにダウンリンク容量オフロードを提供し得る。いくつかの実施形態では、ダウンリンク２０５が、ユニキャストサービス（例えば、１つのＵＥを対象とする）のサービスのために、またはマルチキャストサービス（例えば、いくつかのＵＥを対象とする）のために、使用され得る。このシナリオは、認可スペクトルを使用し、トラフィックおよび／またはシグナリング輻輳のいくらかを軽減する必要があるいずれのサービスプロバイダ（例えば、従来のモバイルネットワーク事業者すなわちＭＮＯ）に関しても起こり得る。
【００６６】
[0078]  図２００におけるキャリアアグリゲーションモードの一例では、基地局１０５−ａが、双方向リンク２１５を使用してＵＥ１１５−ａにＯＦＤＭＡ通信信号を送信でき、双方向リンク２１５を使用して、同じＵＥ１１５−ａからＳＣ−ＦＤＭＡ通信信号を受信できる。双方向リンク２１５は、無認可スペクトルにおける周波数Ｆ１に関連付けられる。基地局１０５−ａはまた、双方向リンク２２０を使用して同じＵＥ１１５−ａにＯＦＤＭＡ通信信号を送信でき、双方向リンク２２０を使用して同じＵＥ１１５−ａからＳＣ−ＦＤＭＡ通信信号を受信できる。双方向リンク２２０は、認可スペクトルにおける周波数Ｆ２に関連付けられる。双方向リンク２１５は、基地局１０５−ａにダウンリンクおよびアップリンク容量オフロードを提供し得る。上で説明された付加ダウンリンクと同様に、このシナリオは、認可スペクトルを使用し、トラフィックおよび／またはシグナリング輻輳のいくらかを軽減する必要があるいずれのサービスプロバイダ（例えば、ＭＮＯ）に関しても起こり得る。
【００６７】
[0079]  図２００におけるキャリアアグリゲーションモードの別の例では、基地局１０５−ａが、双方向リンク２２５を使用してＵＥ１１５−ａにＯＦＤＭＡ通信信号を送信でき、双方向リンク２２５を使用して、同じＵＥ１１５−ａからＳＣ−ＦＤＭＡ通信信号を受信できる。双方向リンク２２５は、無認可スペクトルにおける周波数Ｆ３に関連付けられる。基地局１０５−ａはまた、双方向リンク２３０を使用して同じＵＥ１１５−ａにＯＦＤＭＡ通信信号を送信でき、双方向リンク２３０を使用して同じＵＥ１１５−ａからＳＣ−ＦＤＭＡ通信信号を受信できる。双方向リンク２３０は、認可スペクトルにおける周波数Ｆ２に関連付けられる。双方向リンク２２５は、基地局１０５−ａにダウンリンクおよびアップリンク容量オフロードを提供し得る。この例および上で提供された例は例示的な目的で提示されており、容量オフロードのために無認可スペクトルを用いるＬＴＥ／ＬＴＥ−Ａと無認可スペクトルを用いないＬＴＥ／ＬＴＥ−Ａを組み合わせる、他の同様の動作のモードまたは配置シナリオが存在し得る。
【００６８】
[0080]  上で説明されたように、無認可スペクトルを用いるＬＴＥ／ＬＴＥ−Ａを使用することによって供給される容量オフロードから利益を得ることができる典型的なサービスプロバイダは、ＬＴＥスペクトルを用いる従来のＭＮＯである。これらサービスプロバイダでは、動作構成が、認可スペクトル上のＬＴＥ主要コンポーネントキャリア（ＰＣＣ）、および無認可スペクトル上の無認可スペクトルを用いるＬＴＥ／ＬＴＥ−Ａの二次コンポーネントキャリア（ＳＣＣ）を使用するブートストラップモード（例えば、付加ダウンリンク、キャリアアグリゲーション）を含み得る。
【００６９】
[0081]  付加ダウンリンクモードでは、無認可スペクトルを用いるＬＴＥ／ＬＴＥ−Ａネットワークのための制御が、ＬＴＥアップリンク（例えば、双方向リンク２１０のアップリンク部分）でトランスポートされ得る。ダウンリンク容量オフロードを提供する理由の１つは、データ需要がダウンリンク消費によって大きくされるためである。さらに、このモードでは、ＵＥが無認可スペクトルで送信していないので規制上の影響が存在し得ない。ＵＥ上で、リスンビフォアトーク（ＬＢＴ）またはキャリア感知多重アクセス（ＣＳＭＡ）を実施する必要はない。しかしながら、ＬＢＴは、例えば、無線フレーム境界に整列された捕捉と放棄（grab-and-relinquish）および／または周期的（例えば、１０ミリ秒ごと）クリアチャネル評価（ＣＣＡ）を使用することによって、基地局（例えば、ｅＮＢ）上で実装され得る。
【００７０】
[0082]  キャリアアグリゲーションモードでは、データおよび制御がＬＴＥ（例えば、双方向リンク２１０、２２０、および２３０）において通信され得る一方で、データは、無認可スペクトルを用いるＬＴＥ／ＬＴＥ−Ａ（例えば、双方向リンク２１５および２２５）において通信され得る。無認可スペクトルを用いるＬＴＥ／ＬＴＥ−Ａを使用するときにサポートされるキャリアアグリゲーションメカニズムは、コンポーネントキャリア間の異なる対称性を持つハイブリッド周波数分割複信−時分割複信（ＦＤＤ−ＴＤＤ）キャリアアグリゲーション、またはＴＤＤ−ＴＤＤキャリアアグリゲーションの下に収まり得る。
【００７１】
[0083]  図２Ｂは、無認可スペクトルを用いるＬＴＥ／ＬＴＥ−Ａのためのスタンドアローンモードの例を例示する図２００−ａを示す。図２００−ａは、図１のシステム１００の複数の部分の例であり得る。さらに、基地局１０５−ｂが図１の基地局１０５および図２Ａの基地局１０５−ａの例であり得ると同時に、ＵＥ１１５−ｂは図１のＵＥ１１５および図２ＡのＵＥ１１５−ａの例であり得る。
【００７２】
[0084]  図２００−ａにおけるスタンドアローンモードの例では、基地局１０５−ｂが、双方向リンク２４０を使用してＵＥ１１５−ｂにＯＦＤＭＡ通信信号を送信でき、双方向リンク２４０を使用して、ＵＥ１１５−ｂからＳＣ−ＦＤＭＡ通信信号を受信できる。双方向リンク２４０は、図２Ａを参照して上で説明された無認可スペクトルにおける周波数Ｆ３に関連付けられる。スタンドアローンモードは、スタジアム内（in-stadium）アクセス（例えば、ユニキャスト、マルチキャスト）のような、非伝統的なワイヤレスアクセスシナリオにおいて使用され得る。この動作のモードのための典型的なサービスプロバイダはスタジアムのオーナー、ケーブル会社、イベントホスト、ホテル、企業、および認可スペクトルを有さない大企業であり得る。これらサービスプロバイダでは、スタンドアローンモードのための動作構成が、無認可スペクトル上でＬＴＥ／ＬＴＥ−Ａ  ＰＣＣを使用し得る。さらに、ＬＢＴは、基地局およびＵＥ上の両方で実装され得る。
【００７３】
[0085]  次に図３に移ると、図３００は、様々な実施形態に従う認可および無認可スペクトルにおいて同時にＬＴＥを使用するときのキャリアアグリゲーションの例を例示する。図３００におけるキャリアアグリゲーションスキームは、図２Ａを参照して上で説明されたハイブリッドＦＤＤ−ＴＤＤキャリアアグリゲーションに対応し得る。このタイプのキャリアアグリゲーションは、図１のシステム１００の少なくとも複数の部分で使用され得る。さらに、このタイプのキャリアアグリゲーションは、図１および図２Ａの基地局１０５および１０５−ａのそれぞれにおいて、および／または図１および図２ＡのＵＥ１１５および１１５−ａのそれぞれにおいて使用され得る。
【００７４】
[0086]  この例では、ＦＤＤ（ＦＤＤ−ＬＴＥ）は、ダウンリンクにおいてＬＴＥと関係して行われ得、第１のＴＤＤ（ＴＤＤ１）は、無認可スペクトルを用いるＬＴＥ／ＬＴＥ−Ａと関係して行われ得、第２のＴＤＤ（ＴＤＤ２）は、ＬＴＥと関係して行われ得、別のＦＤＤ（ＦＤＤ−ＬＴＥ）は、アップリンクにおいてＬＴＥと関係して行われ得る。ＴＤＤ１は、６：４のＤＬ：ＵＬ比を結果としてもたらすのに対して、ＴＤＤ２の比は、７：３である。時間スケールでは、異なる有効ＤＬ：ＵＬ比が、３：１、１：３、２：２、３：１、２：２、および３：１である。この例は、例示的な目的で提示されており、無認可スペクトルを用いるＬＴＥ／ＬＴＥ−Ａと無認可スペクトルを用いないＬＴＥ／ＬＴＥ−Ａの動作を組み合わせる他のキャリアアグリゲーションスキームが存在し得る。
【００７５】
[0087]  図４は、図１における基地局／ｅＮＢのうちの１つ、およびＵＥのうちの１つであり得る基地局／ｅＮＢ１０５およびＵＥ１１５の設計のブロック図を示す。ｅＮＢ１０５は、アンテナ４３４ａ〜４３４ｔが装備され得、ＵＥ１１５は、アンテナ４５２ａ〜４５２ｒが装備され得る。ｅＮＢ１０５において、送信プロセッサ４２０は、データソース４１２からデータを、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリット自動再送要求インジケータチャネル（ＰＨＩＣＨ）、物理ダウンリンク制御チャネル（ＰＤＣＣＨ）等のためのものであり得る。データは、物理ダウンリンク共有チャネル（ＰＤＳＣＨ）等のためのものであり得る。送信プロセッサ４２０は、データシンボルおよび制御シンボルをそれぞれ取得するために、データおよび制御情報を処理（例えば、符号化およびシンボルマッピング）し得る。送信プロセッサ４２０はまた、例えば、一次同期信号（ＰＳＳ）、二次同期信号（ＳＳＳ）、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、出力シンボルストリームを変調器（ＭＯＤ）４３２ａ〜４３２ｔを提供し得る。各変調器４３２は、該当する出力シンボルストリーム（例えば、ＯＦＤＭ等のための）を処理して出力サンプルストリームを取得し得る。各変調器４３２はさらに、ダウンリンク信号を取得するために、出力サンプルストリームを処理（例えば、アナログ変換、増幅、フィルタリング、およびアップコンバート）し得る。変調器４３２ａ〜４３２ｔからのダウンリンク信号は、アンテナ４３４ａ〜４３４ｔを介して、それぞれ送信され得る。
【００７６】
[0088]  ＵＥ１１５において、アンテナ４５２ａ〜４５２ｒは、ｅＮＢ１０５からダウンリンク信号を受信でき、受信信号を復調器（ＤＥＭＯＤ）４５４ａ〜４５４ｒに、それぞれ提供できる。各復調器４５４は、該当する受信信号を調整（例えば、フィルタリング、増幅、ダウンコンバート、およびデジタル化）して入力サンプルを取得するし得る。各復調器４５４はさらに、受信シンボルを取得するために、（例えば、ＯＦＤＭ等用に）入力サンプルを処理し得る。ＭＩＭＯ検出器４５６は、全ての復調器４５４ａ〜４５４ｒからの受信シンボルを取得し、適用可能な場合、受信シンボルに対してＭＩＭＯ検出を行い、検出されたシンボルを提供し得る。受信プロセッサ４５８は、検出されたシンボルを処理（例えば、復調、デインタリーブ、および復号）し、データシンク４６０にＵＥ１１５のための復号されたデータを提供し、コントローラ／プロセッサ４８０に復号された制御情報を提供し得る。
【００７７】
[0089]  アップリンク上では、ＵＥ１１５において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ）のための）制御情報を、受信および処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（例えば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、ＵＥ１１５によって送られた復号されたデータおよび制御情報を取得するために、アンテナ４３４によって受信され、復調器４３２によって処理され、適用可能な場合はＭＩＭＯ検出器４３６によって検出され、さらに受信プロセッサ４３８によって処理され得る。プロセッサ４３８は、データシンク４３９に復号されたデータを、およびコントローラ／プロセッサ４４０に復号された制御情報を、提供し得る。
【００７８】
[0090]  コントローラ／プロセッサ４４０および４８０は、ｅＮＢ１０５における動作およびＵＥ１１５における動作を、それぞれ指示し得る。ｅＮＢ１０５におけるコントローラ／プロセッサ４４０並びに／または他のプロセッサおよびモジュールは、本明細書で説明されている技法のための様々なプロセスの実行を行うかまたは指示し得る。ＵＥ１１５におけるコントローラ／プロセッサ４８０並びに／または他のプロセッサおよびモジュールは、図７および８に例示される機能ブロック、および／または本明細書で説明されている技法のための他のプロセスの実行を行うかまたは指示し得る。メモリ４４２および４８２は、ｅＮＢ１０５およびＵＥ１１５のためのデータおよびプログラムコードを、それぞれ記憶し得る。スケジューラ４４４は、ダウンリンクおよび／またはアップリンク上におけるデータ送信のためにＵＥをスケジューリングし得る。
【００７９】
[0091]  「リスンビフォアトーク」（ＬＢＴ）技法を使用する、無認可帯域キャリアを用いるＬＴＥ／ＬＴＥ−Ａシステム配置では、送信デバイスが、送信を開始する前にチャネルを感知するべきである。無認可スペクトルを用いる同期ＬＴＥ／ＬＴＥ−Ａシステムでは、競合する配置が、チャネル感知期間の計画された割り当てによって無認可スペクトルにアクセスするのに順番を取ることができる。こうした順番における公平性は、アクセスの順番が均等の確率に近い形で共有されるような方法で、異なる配置にクリアチャネル評価（ＣＣＡ）の試みを分配することによって達成され得る。こうしたシステムで、所与の配置Ａは、配置Ｂが配置Ａより前のＣＣＡ期間を割り当てられる確率と同じ確率で、配置Ｂより前のＣＣＡ期間を割り当てられるはずである。
【００８０】
[0092]  図５は、無認可スペクトルを用いる同期ＬＴＥ／ＬＴＥ−Ａ通信システムにおける送信ストリーム５０を例示するブロック図である。送信ストリーム５０は、ＬＴＥ無線フレーム５０４のようなＬＴＥ無線フレームに分割され、こうした無線フレームの各々はさらに、アップリンク通信（Ｕ）、ダウンリンク通信（Ｄ）、または、アップリンク通信を含むことができるアップリンクパイロット時間スロット（ＵｐＰＴＳ）（図示せず）、ガード期間５０２のようなガード期間、およびダウンリンク通信を含むことができるダウンリンクパイロット時間スロット（ＤｗＰＴＳ）５０５を含む特殊サブフレーム（Ｓ’）のために構成され得る１０つのサブフレーム（サブフレーム０−９）に分割される。無認可キャリア上で通信を開始する前に、送信ストリーム５０を生じさせる送信機は、７つの可能性のある送信スロットである、ＣＣＡ機会５０３−Ａ〜５０３−Ｇのうちの１つにおいてダウンリンクＣＣＡ（ＤＣＣＡ）５００を送信する。送信機がクリアＣＣＡを検出する場合、無認可チャネルは、送信機からのいずれかの実際のデータ送信に先立って、チャネル使用ビーコン信号（ＣＵＢＳ）５０１によって占有される。一度ＣＣＡが為されると、送信機は、ＬＴＥ無線フレーム５０４のような無線フレームに付随する１０ｍｓの期間の間、別のＣＣＡ検査を行うことを要求されない。
【００８１】
[0093]  競合する配置が送信ストリーム５０を生じさせる送信機の近傍にあるとき、送信機はＣＣＡ機会５０３−Ａ〜５０３−Ｇのうちの１つを割り当てられたことになる一方で、競合する配置は、ＣＣＡ機会５０３−Ａ〜５０３−Ｇのうちのその他のＣＣＡ機会を割り当てられ得る。ＣＣＡ機会５０３−Ａ〜５０３−Ｇのうちのより早い１つにおけるＣＣＡに対して割り当てられた配置はクリアＣＣＡを検出し、競合する配置がＣＣＡを試みる前に、ＣＵＢＳ送信を始め得る。後続のＣＣＡの試みはその後、ＣＵＢＳ送信の検出を終えることに失敗する（fail through）ことになる。例えば、図５において例示される代わりの態様では、送信機が、ＣＣＡ検査のためにＣＣＡ機会５０３−Ｃを割り当てられる。その送信機は、クリアＣＣＡを検出し、すぐにＣＵＢＳ５０６を送信し始める。ＣＣＡ機会５０３−Ｄ〜５０３−Ｇのいずれかに割り当てられたいずれかの競合する配置はＣＵＢＳ５０６を検出し、これらの該当するＣＣＡ検査は失敗することになる。
【００８２】
[0094]  図６は、無認可スペクトルを用いる同期ＬＴＥ／ＬＴＥ−Ａ通信システムにおける送信ストリーム６０を例示するブロック図である。送信ストリーム６０は、ＣＣＡ期間が含まれるＳ’サブフレーム６００を含む。ガード期間６０２の後、送信機はＣＣＡ機会６０３に割り当てられる。送信機がＣＣＡ機会６０３からクリアＣＣＡを検出する場合、ＣＵＢＳ６０４は、すぐに次にシンボルでスタートして、ＬＴＢフレーム境界６０１におけるＳ’サブフレーム６００の終了まで、送信機によって送信される。ＣＵＢＳ６０４は、送信機からデータ送信がＤサブフレーム６０５および６０６で開始できるまで、チャネル占有信号を提供する。Ｄサブフレーム６０５および６０６は、（Ｅ）ＰＤＣＣＨおよびＰＤＳＣＨの送信を含む。ＣＵＢＳ６０４のための占有されたリソースは、後に続くリソース（Ｅ）ＰＤＣＣＨまたはＰＤＳＣＨまたは（Ｅ）ＰＵＣＣＨまたはＰＵＳＣＨとは異なり得る。（Ｅ）ＰＤＣＣＨ／ＰＤＳＣＨが、送信機が基地局であるときに存在するだろう一方で、（Ｅ）ＰＵＣＣＨ／ＰＵＳＣＨは、送信機がモバイルデバイスか、またはＵＥであるときに存在するはずである。ＣＣＡ検出を向上させるために、ＣＵＢＳ６０４のために選択された総電力は、データ送信のために使用される総電力と同じまたはそれに非常に相似的であるべきである。この全体の均等な電力は結果として、潜在的に不均等な電力スペクトル密度（ＰＳＤ）をもたらし得る。不均等な総電力は結果として、ＡＧＣがＣＵＢＳに従って設定されることになるため、データ送信を正確に復号することに失敗することをもたらし得る。
【００８３】
[0095]  ＬＢＴプロシージャを用いる通信システムにおけるＣＵＢＳの主要な機能は、チャネルを確保することである。加えて、ＣＵＢＳは、受信機でＡＧＣを設定することを助けるために使用され得る。これら観点から、チャネル帯域幅の８０％に広がるいずれの信号も十分なはずである。ＣＵＢＳの３つ目の機能は、ＣＣＡ検査が成功したという通知を受信機に提供する。この情報で、受信機は、送信機からのデータ送信を予定できる。
【００８４】
[0096]  本開示の様々な態様は、ＣＵＢＳにおいて符号化されるべきさらなる情報を提供する。しかしながら、ＣＵＢＳがＡＧＣ設定のためにも使用されるので、同時の、ＡＧＣ設定とＣＵＢＳ「復号」は、可能でないことがある。この前提では、受信機動作に対して必須の(essential)情報がＣＵＢＳにおいて搬送されるべきでない。本開示の様々な態様は、ＣＵＢＳ送信において搬送されるべき情報の単一ビットを提供する。この単一ビットは、フレームが５ｍｓであるか、１０ｍｓであるかを示すことができ、これは、受信機に役立つものの必須の情報ではない。
【００８５】
[0097]  図７Ａは、本開示の一態様を実装するために実行される実例的なブロックを例示する機能ブロック図である。ブロック７００で、無認可帯域でのデータのセットの送信を準備する送信機は、送信機のネットワークに割り当てられるＣＣＡ機会においてクリアＣＣＡを検出する。無認可スペクトルでのネットワークにおける送信の準備において、ＬＢＴ要求は、送信機がデータを送信する前にまずクリアＣＣＡを行って受信することを提供する。
【００８６】
[0098]  ブロック７０１で、送信機は、送信機のネットワークに割り当てられたＣＣＡ機会に基づいて、送信機に関連付けられたチャネル使用ビーコン信号（ＣＵＢＳ）の構成を選択し、送信機に関連付けられたＣＵＢＳの構成は、ＣＵＢＳ送信のための周波数サブキャリアのセットを含む。ブロック７０２で、送信機は、ＣＣＡ機会に基づく送信特性に従ってＣＵＢＳを送信する。
【００８７】
[0099]  本開示の様々な態様で、ＣＵＢＳ送信のための周波数サブキャリアのセットがＣＵＢＳ送信のために利用可能な全てのサブキャリアのサブセットであることに留意されるべきである。いくつかの態様で、ＣＵＢＳ送信のために利用可能な全てのサブキャリアのサブセットは、均等なサブキャリア間隔を持つセットであり、ここにおいて、均等なサブキャリア間隔は、３つ分のサブキャリア間隔であり得る。他の態様で、サブセットは、複数の重複しないサブセットのうちの１つであり、ここにおいて、重複しないサブセットの数は、利用可能なＣＣＡ機会の総数以上であり得る。重複しないサブセットの数が利用可能なＣＣＡ機会の総数よりも以上であるこうした態様で、各ＣＣＡ機会は、複数の重複するサブセットのうちの一意の重複しないサブセットに関連付けられる。
【００８８】
[00100]  本開示のさらなる態様で、重複しないサブセットの数は、利用可能なＣＣＡ機会の総数の数よりも小さく、ここにおいて、各ＣＣＡ機会と複数の重複しないサブセットとの間のアソシエーションは、時間スロット依存であり得る。こうした態様で、ＣＣＡ機会が、どの他のＣＣＡ機会もマッピングされないその総数の重複しないサブセットのうちの１つの重複しないサブセットにマッピングされる。関連する態様で、時間スロットは、ＣＣＡ機会に関連付けられたＣＵＢＳ送信の第１の機会である。
【００８９】
[00101]  本開示のさらなる態様で、送信機に関連付けられたＣＵＢＳの構成がＣＵＢＳ送信の各時間スロットにおいて１つまたは複数の周波数ドメインシーケンスを含むことにさらに留意されるべきである。
【００９０】
[00102]  図７Ｂは、本開示の一態様を実装するために実行される実例的なブロックを例示する機能ブロック図である。ブロック７０３で、送信機は、送信機が動作するネットワークに割り当てられたＣＣＡ機会において、ＣＣＡ検査を行い、クリアＣＣＡを検出する。上で着目されたように、無認可スペクトルでのネットワークにおける送信の準備において、ＬＢＴ要求は、送信機がデータを送信する前にまずクリアＣＣＡを行い受信することを提供する。
【００９１】
[00103]  ブロック７０４で、送信機は、送信されるべきデータのセットの予期される送信（contemplated transmission）の予定持続期間(expected duration)を決定する。各成功したＣＣＡ検査の後、送信機は、これが送信を継続する前に後続のＣＡ検査を行うことになるときに最大１０ｍｓの間データを送信し得る。しかしながら、ある特定の環境では、送信機が、１０ｍｓ全体を占有するのに十分な送信のためのデータを有さないことがある。このため、送信機は、どれ程の長さの送信時間が予定されるかを決定できる。
【００９２】
[00104]  ブロック７０５で、送信機は、送信の予定持続期間に基づいて、それが関連付けられたＣＵＢＳの構成を選択する。送信の予定持続期間が５ｍｓ以下である場合、送信が５ｍｓよりも長くないことになると受信機に通知することが有益であり得る。様々な同期信号および基準信号（例えば、ＰＳＳ／ＳＳＳ、ＣＲＳ、ＣＳＩ−ＲＳ等）は、１０ｍｓ送信全体を通じて送信される。受信機は、１０ｍｓ送信の各半分において、既知のロケーションでこうしたシステム信号を予定することになる。送信機が５ｍｓ間しか送信していない場合、受信機は、それが全送信の２つ目の半分において予定するシステム信号を検出するように試みて電力を浪費することになる。従って、受信機が、送信機が５ｍｓ未満の間しか送信していないことを知らされる場合、５ｍｓが経過してしまうとすぐに、受信機は受信コンポーネントのスイッチを切り、電力を節約できる。送信機によって選択されたＣＵＢＳの構成はその後、データ送信が５ｍｓなるか、または１０ｍｓになるかのどちらかを受信機に示すことになる。
【００９３】
[00105]  ブロック７０６で、送信機は、ＣＣＡ機会に基づく送信特性に従ってＣＵＢＳを送信する。現在の動作では、７つのＣＣＡ機会が特殊サブフレーム内に存在する。第１または第２のＣＣＡ機会を割り当てられたＰＬＭＮは、サブフレームの残りのシンボルの各々でＣＵＢＳを送信する能力を有することになる。従って、検出のための機会は多大（great）になる。しかしながら後のＣＣＡ機会を割り当てられたＰＬＭＮは、第７のＣＣＡ機会のケースで、数個またはましてや１つのシンボルでＣＵＢＳを送信することだけができるようになる。これらＣＵＢＳは、より早く割り当てられたＣＣＡ機会を持つＰＬＭＮからのＣＵＢＳほど、検出のための機会を有さない。このように、後のＣＣＡ機会においてＣＵＢＳを検出することは困難であり得る。従って、様々な送信特性は、ＣＵＢＳを送信するために、特定のＣＣＡ機会に基づいて選択され得る。これら送信特性は、ＣＣＡ機会の全てでＣＵＢＳ検出を均一化するように選択される。例えば、ＣＵＢＳ送信のために選択される利得または電力は、最初のＣＣＡ機会から最後まで単調に増加し得る。代わりとして、異なる機会のいずれにおいても検出が向上することになるように、別個の直交チャネルがＣＣＡ機会ごとに作り出され得る。
【００９４】
[00106]  受信機に関し、ＣＵＢＳ検出は、３つの仮定、（１）受信機と通信状態にある送信機がＣＵＢＳを送信していない、（２）受信機と通信状態にある送信機が最大５ｍｓフレームのデータ送信を示すＣＵＢＳを送信する、および（３）受信機と通信状態にある送信機が１０ｍｓフレームのデータ送信を示すＣＵＢＳを送信する、のうちからの決定を検討することを受信機にさせる。５ｍｓフレームでは、１つ目の半フレームにおいて、第１のＣＲＳサブフレームのみが送信され、第１のＰＳＳ／ＳＳＳのみが送信され、ＣＳＩ−ＲＳのみが送信される。１０ｍｓフレームでは、両方のＣＲＳサブフレームが送信され、両方のＰＳＳ／ＳＳＳ時機が送信され、全てのＣＳＩ−ＲＳが送信される。従って、５ｍｓデータ送信フレームが予定されるか、または１０ｍｓデータ送信フレームが予定されるかを受信機に示すＣＵＢＳ構成により、受信機は、それが受信すると予定するべきであるシステム信号を検出することを試みることだけできるようになる。受信機は、ＣＲＳベースのアクティビティ検出を使用することによって、それ自身でこの情報を発見できる。しかしながらこの自己発見は、さらなる受信機電力の負担が降りかかる。１ビット構成情報を含むＣＵＢＳ検出は、より迅速なターンオフを可能にし、これにより電力を節約する。
【００９５】
[00107]  図８は、本開示の一態様を実装するために実行される実例的なブロックを例示する機能ブロック図である。ブロック８００で、受信機は、受信機が動作するネットワークに割り当てられるＣＣＡ機会においてＣＵＢＳを検出する。さらに、ＣＵＢＳは、受信機が通信している送信機から特に識別可能である。様々なＰＬＭＮ送信機の各々は、発端の特定の送信機を識別するＣＵＢＳであり得る。ＣＣＡ機会はＰＬＭＮに基づいて割り当てられるので、受信機は、どのＣＣＡ機会がその送信機に関連付けられたＣＵＢＳを探索し始めるべきかを知っている。受信機による、送信機に関連付けられたＣＵＢＳの検出は、送信機がクリアＣＣＡを検出したこと、そして次の送信サブフレームのスタート時にデータを送信し始めることになることを受信機に示す。
【００９６】
[00108]  ブロック８０１で、受信機は、予定データ送信を適切に受信し、復号するために、そのＡＧＣを設定するようにＣＵＢＳを使用する。ブロック８０２で、受信機は、ＣＵＢＳの構成に基づいて、送信機からの予定送信時間を決定する。それ自身が送信された特定の送信機を識別するＣＵＢＳの構成に加えて、ＣＵＢＳの構成はまた、上で着目されたように、データ送信が５ｍｓになるか、１０ｍｓになるかを示す。
【００９７】
[00109]  ブロック８０３で、受信機は、予定送信時間内で送信機からデータ送信を受信する。データ送信は、ＣＵＢＳ検出から設定されたＡＧＣを使用して受信および復号される。ブロック８０４で、予定送信時間の後、受信機は電力を節約ためにその受信コンポーネントを非活性化する。受信機がＣＵＢＳの構成に基づいて、送信機からのデータ送信の持続期間を予め知っているので、それは、電力を節約するために様々な受信コンポーネントを非活性化できる。従って、送信が５ｍｓになることをその構成が示す場合、受信機は、１０ｍｓフレームの２つ目の半分においてシステム信号を予定しないことを知り、時間期間の２つ目の半分の間にその受信コンポーネントを止めることになる。
【００９８】
[00110]  観念的には、ＣＵＢＳは、時間および周波数追跡誤差に対して回復機能を持つ信号であるはずである。無認可帯域幅を使用するとき、送信は保証されないので、送信機がＣＵＢＳの前にいずれかのデータを送信してから長い期間が存在し得る。しかしながらＣＵＢＳが受信機のＡＧＣを設定するために使用されるので、受信機にＡＧＣを設定し、ＣＵＢＳに符号化された複雑な情報を復号することを要求することは実用的でないことがある。このように、ＣＵＢＳ検出は、最良の取り組みであり、かつ必須でないとして特徴づけられ得る。
【００９９】
[00111]  ＣＵＢＳの検出を向上させるための一態様では、ＣＵＢＳが、様々な送信ダイバーシティスキームを使用して送信され得る。例えば、ＣＵＢＳは、２つのポートの共通基準信号（ＣＲＳ）と同様に、周波数分割多重（ＦＤＭ）の形で２つのアンテナから送信され得る。代わりとして、ＣＵＢＳは、巡回遅延ダイバーシティ（ＣＤＤ）構成においてＣＵＢＳ間の時間オフセットを用いる単一のポートを使用する複数のアンテナで送信され得る。従って、様々な送信ダイバーシティスキームは、本開示の様々な態様に適用可能であり得る。
【０１００】
[00112]  本開示のさらなる態様では、ＣＵＢＳと、ＣＲＳおよびまたはＣＳＩ−ＲＳ処理との間の共有性または類似性を維持することが有益であり得る。こうした基準信号プロセスに対する共通性または類似性を維持することによって、ＣＵＢＳを扱うことの複雑性は低減され得る。しかしながら、ＣＵＢＳとＣＲＳとの間のチャネル推定平均化は想定されないであろう。その代わりに、この平均化は、異なるアンテナ仮想化（例えば、ＣＤＤ）、異なる仮想化オフセット（例えば、ｖ＿ｓｈｉｆｔ）等を提供することによって防がれ得る。１つの実例的な態様では、ＣＲＳ同様の構造が、ＣＵＢＳ送信のために想定され得る。２つのアンテナを考慮すると、ＣＲＳ信号は、各アンテナ上で６つのリソース要素ごとに送信される。例えば、アンテナ０はリソース要素ｋ、ｋ＋６、ｋ＋１２、…上で送信し、アンテナ１は、リソース要素ｋ＋３、ｋ＋９、ｋ＋１５…上で送信する。総ＣＲＳ送信を考慮すると、ＣＲＳ送信は、３つのリソース要素ごと、ｋ、ｋ＋３、ｋ＋６、ｋ＋９、ｋ＋１２、ｋ＋１５…で生じる。ＣＵＢＳは、同様の形で送信され得る。さらに、ＣＵＢＳ送信の異なるセットは、ｋとｋ＋３との間の使用されないリソース要素ｋ＋１およびＫ＋２を使用してオフセットされ得る。ＣＵＢＳ送信のための３つのスタートのリソース要素は、ｖ＿ｓｈｉｆｔ値、ａ、ｂ、およびｃを含むパターンオフセットと称され、ここにおいて、ａ＝ｋ、ｂ＝ｋ＋１、およびｃ＝ｋ＋２である。従って、割り当てられたＣＣＡ時機におけるＣＵＢＳ送信のためにリソース要素を分配する際に、以下の構成表が使用され得る。
【０１０１】
【表１】
0006502336.tif 000002
【０１０２】
ここにおいて、パターンオフセット「ｃ」は、検出のためにもはや使用されない複数の異なる衝突するＣＵＢＳ送信のためのリソースを提供する。
【０１０３】
[00113]  図９Ａは、本開示の態様に従って構成された時間および周波数の全域の利用可能なＣＣＡ機会を含む送信ストリーム９０を例示するブロック図である。時間全体で、例示される７つのＣＣＡ機会、シンボル１−７が存在し、各々のこうしたシンボルは、シンボルごとに複数の周波数にわたる複数のリソース要素を有する。パターンオフセットａ、ｂ、ｃは、表１に従うと、ＣＵＢＳ送信のａパターン、ｂパターン、およびｃパターンを例示するように繰り返されている。例えば、第１のＣＣＡ時機に割り当てられたＰＬＭＮは、シンボル１で、パターンオフセット「ａ」で始まる３つのリソース要素ごとに、ＣＵＢＳであるＣ１を送信することになる。図９において例示されるように、Ｃ１は、ａパターンに関連付けられた３つのリソース要素ごとに図示されている。同様に、第４のＣＣＡ時機に割り当てられたＰＬＭＮは、シンボル４で、パターンオフセット「ｂ」で始まる３つのリソース要素ごとに、ＣＵＢＳであるＣ４を送信することになる。パターンオフセット「ａ」および「ｂ」は、クリーンリソース要素と考えられる。７つの利用可能なＣＣＡ機会に割り当てられたＰＬＭＮの各々は、パターンオフセット「ａ」または「ｂ」において少なくとも一度、ＣＵＢＳを送信する能力を有することになる。これは、Ｃ７がいずれの衝突するＣＵＢＳが無い状態で３つのリソース要素ごとに送信されることになる第７のＣＣＡ時機でさえ、ＣＵＢＳ検出のために、各ＰＬＭＮに有効な機会を提供する。
【０１０４】
[00114]  上で着目されたように、本開示の一態様は、単調に増加する利得または電力を使用して送信される各連続的ＣＣＡ時機を提供する。近隣ＰＬＭＮの位置に依存して、増加した電力は、より早いＣＣＡ機会に割り当てられたＰＬＭＮに対する実質的な干渉を引き起こし得る。従って受信機は、近隣ＰＬＭＮ送信機のＣＵＢＳ検出に基づいて、動作を調節するか、優勢ＰＬＭＮ干渉の存在を発見することが可能であり得る。
【０１０５】
[00115]  本開示のさらなる態様では、代わりのリソース分配パターンもまたＣＵＢＳ送信のために使用され得る。１つのこうした代替手段において、割り当てられたＣＣＡ時機においてＣＵＢＳ送信のためにリソース要素を割り当てることは、以下の構成表にあるように提供され得る。
【０１０６】
【表２】
0006502336.tif 000003
【０１０７】
[00116]  図９Ｂは、本開示の態様に従って構成された時間および周波数の全域の利用可能なＣＣＡ機会を含む送信ストリーム９１を例示するブロック図である。７つのＣＣＡ機会、シンボル１−７が、各々のこうしたシンボルがシンボルごとに複数の周波数にわたる複数のリソース要素を有する状態で例示される。パターンオフセットａ、ｂ、ｃは、表２に従うと、ＣＵＢＳ送信のａパターン、ｂパターン、およびｃパターンを例示するように繰り返されている。例えば、第１のＣＣＡ時機に割り当てられたＰＬＭＮは、シンボル１で、シンボル１におけるパターンオフセット「ａ」で始まる３つのリソース要素ごとにＣＵＢＳであるＣ１を送信することになり、その後、シンボル２におけるパターンオフセット「ｂ」で送信することが続き、そして残りのシンボル３−７に関してはパターンオフセット「ｃ」で送信することが続く。図９Ｂにおいて例示されるように、Ｃ１は、同じａ、ｂ、ｃ、ｃ、ｃ、ｃ、ｃパターンに関連付けられた３つのリソース要素ごとに図示されている。同様に例えば、第４のＣＣＡ時機に割り当てられたＰＬＭＮは、シンボル４で、これもまたパターンオフセット「ａ」で始まる３つのリソース要素ごとにＣＵＢＳであるＣ４を送信することになり、その後、パターンオフセット「ｂ」におけるシンボル５での送信が続き、そしてパターンオフセット「ｃ」におけるシンボル６および７での送信が続く。従って、第１の６つの利用可能なＣＣＡ機会に割り当てられたＰＬＭＮの各々は、少なくともパターンオフセット「ａ」において一度、およびパターンオフセット「ｂ」において一度、ＣＵＢＳを送信する能力を有することになる一方で、第７の利用可能なＣＣＡ機会に割り当てられたＰＬＭＮは、パターンオフセット「ａ」に一度ＣＵＢＳを送信する能力を有することになる。これは、Ｃ１−Ｃ２がパターンオフセット「ａ」および「ｂ」で３つのリソース要素ごとに衝突しないＣＵＢＳ送信を有することになり、Ｃ７がパターンオフセット「ａ」で３つのリソース要素ごとに衝突しないＣＵＢＳ送信を有することになる第７のＣＣＡ時機でさえ、ＣＵＢＳ検出のために、各ＰＬＭＮに有効な機会を提供する、ことになる。
【０１０８】
[00117]  表２に従って構成された本開示の態様が連続する「クリーン」ＣＵＢＳ送信のために異なるパターンオフセットに着目するように構成された受信機を提供できることは留意されるべきである。反対に、表１に従って構成された本開示の態様は、送信を正確に復号するために、連続する「クリーン」ＣＵＢＳ送信シンボルで受信された信号を組み合わせるように構成された受信機を提供できる。
【０１０９】
[00118]  パターンオフセット「ａ」、「ｂ」、および「ｃ」を使用する図９Ａおよび９Ｂにおいて例示されるＣＵＢＳ送信割り当ての構造がＣＲＳ同様である一方で、本開示の様々な態様に従うＣＵＢＳのためのパターンオフセットのトーン割り当ては、セルの物理セル識別子（ＰＣＩ）に必ずしも依存しない。典型的な配置では、ＣＲＳパイロット信号に対するトーン分配がＰＣＩ依存である。しかしながら、本開示の様々な態様では、パターンオフセット「ａ」、「ｂ」、および「ｃ」を通じたトーン分配が、必ずしもＰＣＩ依存ではない。本開示の異なる態様は、ＰＣＩ依存と非ＰＣＴ依存のトーン分配の何らかの組み合わせを提供できる。例えば、送信ストリーム９０（図９Ａ）に関して、シンボル１および２のトーン分配がＰＣＩ依存であり得る一方で、残りのシンボル３−７に関するトーン分配は、非ＰＣＩ依存であり得る。反対に、送信ストリーム９１（図９Ｂ）におけるシンボルの各々に対するトーン分配は、非ＰＣＴ依存であり得る。
【０１１０】
[00119]  表１および２、並びに図９Ａおよび９Ｂで提示されているトーン分配および送信割り当ては、割り当てられたＰＬＭＮを有する複数のモバイルネットワーク事業者（ＭＮＯ）に関与する本開示の様々な態様を首尾よく実装する。しかしながら、ＣＣＡ機会の各シンボル位置におけるトーンは、特定のＰＬＭＮネットワークに特に割り当てられるので、表１および２における分配構成は、ＰＬＭＮネットワークの全てが同期されないときに失敗し得る。従って、「クリア」「ａ」パターンオフセット送信のために割り当てられた１つのＰＬＭＮネットワークは、「ｃ」パターンオフセット上で送信しているか、「ｂ」パターンオフセット上で送信していると考えられうる、のどちらかである複数の他のＰＬＭＮネットワークからの過剰な干渉を経験し得る。
【０１１１】
[00120]  こうした干渉はまた、固定の干渉送信機が「クリア」パターンオフセットのうちの１つの間に干渉信号を送信する同期されたシステムにおいて現れ得る。こうした態様では、「クリア」ＣＵＢＳ送信を試みるあらゆるＰＬＭＮネットワークが、固定の周波数ソースからの干渉を経験し得る。
【０１１２】
[00121]  本開示の様々な代わりの態様に従うと、ランダム化は、提供する際に、または他の固定の周波数干渉との強固な衝突を最小化するためにパターンオフセット用のｖ＿ｓｈｉｆｔパラメータに導入され得る。ランダム化を含むことによって、送信側のＰＬＭＮネットワークは、ランダム化されていないトーンが干渉の周波数と衝突するだろうとき、固定の周波数干渉を回避する「クリア」トーンに対して分配され得る。さらにランダム化は、同期されないＰＬＭＮネットワークに仮想ｖ＿ｓｈｉｆｔを提供するはずである。例えば、仮想ｖ＿ｓｈｉｆｔ値は、擬似ランダム置換によって物理ｖ＿ｓｈｉｆｔ値にマッピングされ得る。３つのパターンオフセット要素「ａ」、「ｂ」、および「ｃ」を考慮すると、それらの３つのパターンオフセット要素の６つの可能性のある置換が存在する。従って、１つの置換がＣＣＡ送信機会に割り当てられたシンボル期間の各々に割り当てられ得、ランダム置換シーケンスを形成する。
【０１１３】
[00122]  図１２は、本開示の一態様を実装するために実行される実例的なブロックを例示する機能ブロック図である。ブロック１２００で、送信機は、送信機のネットワークに割り当てられたＣＣＡ機会に基づいて送信機に関連付けられたＣＵＢＳの構成を受信する。ＣＵＢＳ構成は、送信機によるＣＵＢＳ送信のために識別された仮想周波数サブキャリアのセットを含む。仮想周波数サブキャリアのセットを含む構成は、表１および２において例示される構成のような、送信シーケンスを提供する。これら仮想周波数サブキャリアは、特定の割り当てられたＣＣＡ機会に関連付けられたＣＵＢＳ送信のシーケンスのための割り当てられたパターンオフセットである。
【０１１４】
[00123]  ブロック１２０１で、送信機は、送信機によるＣＵＢＳ送信のために、物理周波数サブキャリアのセットに仮想周波数サブキャリアのセットをマッピングする。パターンオフセットの擬似ランダム置換を使用して、送信機は、ＣＵＢＳを送信するために送信機によって使用されることになる実際の物理周波数サブキャリアに仮想周波数サブキャリアをマッピングする。
【０１１５】
[00124]  ブロック１２０２で、送信機は、物理周波数サブキャリアのセット上で構成に従ってＣＵＢＳを送信する。一度送信機が物理パターンオフセットまたは周波数サブキャリアに仮想パターンオフセットをマッピングすると、それは物理周波数サブキャリアを使用してＣＵＢＳ構成における送信シーケンスに従って、ＣＵＢＳを送信できる。
【０１１６】
[00125]  図１０は、本開示の一態様に従う利用可能なＣＣＡ機会全域の観測された電力レベルを例示する図１０００である。シンボル４−１００１のＣＣＡ機会に対して割り当てられたＰＬＭＮネットワークにおける受信機のような受信機は、近隣ＰＬＭＮ送信機から、シンボル７−１００２で送信されたＣＵＢＳのより高い電力レベルを検出できる。サービングＣＵＢＳがシンボル４−１００１で検出されるとき、ＵＥは、シンボル４−１００１とシンボル７−１００２との間の観測された電力差を使用できる。検出された、その観測された電力差に基づいて、受信機はそれに従って動作を調整できる。例えば、観測された電力差が小さい場合、受信機は、干渉除去を使用することなく、それ自身のデータ送信を受信することに進むことができる。観測された電力差が大きい場合、受信機は、干渉除去技法を使用して、のデータ送信を受信することに進み得る。さらなる態様では、受信機が非常に高い、または最大の電力差を観測する場合、それはそのフレームを完全に放棄することを決めさえし得る。従って、近隣ＰＬＭＮ送信機からの検出されたＣＵＢＳを検出および分析することによって、受信機は、優勢の他のＰＬＭＮ干渉の存在を突き止め、それに従ってその動作を調整できる。
【０１１７】
[00126]  前に示されたように、失敗したＣＣＡの試みのために、送信機が長い時間の期間、データを送信していない時機が存在し得る。こうした態様では、ＣＵＢＳのタイミングまたは同期が、実質的に異なり得る。こうしたＣＵＢＳの検出を向上させるために、ＣＵＢＳ送信とともに含まれるサイクリックプリフィックスを間接的に伸ばすことは有益であり得る。本開示の一態様では、サイクリックプリフィックスが、各ＣＵＢＳ送信を自己反復（self-repeating）信号にすることによって、ＣＵＢＳ送信のために伸ばされ得る。図１１Ａ−１１Ｃは、本開示の一態様に従って構成されたＣＵＢＳ送信を例示する時間／周波数の図である。図１１Ａで、周波数ドメインＣＵＢＳ信号１１００は、その対応する時間ドメインＣＵＢＳ信号１１０１とともに図示されている。時間ドメインＣＵＢＳ信号１１０１は、全信号シンボル送信時間で間断ない信号として図示されている。時間ドメインＣＵＢＳ信号１１０１を自己反復信号にするために、周波数ドメイン信号のトーンマッピングは、全ての奇数のリソース要素をゼロに設定することによって、拡大され得る。図１１Ｂで、「Ｘ」と例示される、周波数ドメインＣＵＢＳ信号１１０２の奇数リソース要素の各々はゼロに設定されている。この周波数ドメインＣＵＢＳ信号１１０２の拡大されたバージョンは結果として、シンボル送信の各半分における信号部分「Ａ」を反復する自己反復信号である、対応する時間ドメインＣＵＢＳ信号１１０３をもたらす。時間ドメインＣＵＢＳ信号１１０３が今では自己反復しているため、第１の部分「Ａ」は、伸ばされたＣＰとして使用され得る。
【０１１８】
[00127]  図１１Ｃで、受信機は、シンボル半分の境界１１０４のどちらかのサイドに第１の部分「Ａ」および第２の部分「Ａ」を有する時間ドメインＣＵＢＳ信号１１０３を受信する。受信機は、そのＡＧＣを設定するために第１の部分１１０５を使用し、半分のサイズのＦＦＴ期間として第２の部分１１０６を使用する。ＦＦＴ期間は半分のサイズであるので、受信機は、半分のサイズのＦＦＴを稼働でき、これは処理電力を節約できる。代わりの態様では、フルサイズのＦＦＴが使用される場合、受信機が、フルサイズのＦＦＴ期間を満たし、フルサイズのＦＦＴを行うために、第２の部分１１０６を循環的に拡張できる。
【０１１９】
[00128]  情報および信号が様々な異なる技術および技法のいずれかを使用して表現され得ることを当業者は理解するであろう。例えば、上記の説明全体を通して参照され得るデータ、命令、コマンド、情報、信号、ビット、シンボル、およびチップは、電圧、電流、電磁波、電磁場または磁性粒子、光学場または光学粒子、あるいはこれらの任意の組み合わせによって表され得る。
【０１２０】
[00129]  図７および８における機能ブロックおよびモジュールは、プロセッサ、電子デバイス、ハードウェアデバイス、電子コンポーネント、論理回路、メモリ、ソフトウェアコード、ファームウェアコード、等、またはこれらの任意の組み合わせを備えることができる。
【０１２１】
[00130]  当業者はさらに、本明細書における開示に関連して説明された様々な例示的な論理ブロック、モジュール、回路、およびアルゴリズムのステップが、電子ハードウェア、コンピュータソフトウェア、または両方の組み合わせとして実装され得ることを認識するであろう。ハードウェアとソフトウェアとのこの互換性を明確に例示するために、様々な例示的なコンポーネント、ブロック、モジュール、回路、およびステップが、それらの機能の観点から概して上で説明されてきた。このような機能が、ハードウェアとして実装されるか、またはソフトウェアとして実装されるかは、特定のアプリケーションおよびシステム全体に課せられる設計制約に依存する。当業者は、各特定のアプリケーションに関する多様な方法で説明された機能を実装できるが、このような実装の決定は、本開示の範囲からの逸脱を引き起こしていると解釈されるべきでない。当業者は、本明細書で説明されているコンポーネント、方法、または相互作用の順序または組み合わせが単に例に過ぎないことと、本開示の様々な態様のコンポーネント、方法、または相互作用が、本明細書で例示および説明されたもの以外の方法で行われるか、または組み合わされ得ることを容易に認識するであろう。
【０１２２】
[00131]  本明細書における開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理回路、ディスクリートハードウェアコンポーネント、または本明細書で説明された機能を行うように設計されたこれらの任意の組み合わせを用いて、実装されまたは行われ得る。汎用プロセッサは、マイクロプロセッサであり得るが、代わりとして、このプロセッサは、何らかの従来のプロセッサ、コントローラ、マイクロコントローラ、またはステートマシンであり得る。プロセッサは、コンピューティングデバイスの組み合わせ、例えば、ＤＳＰとマイクロプロセッサの組み合わせ、複数のマイクロプロセッサ、ＤＳＰコアと連結した１つまたは複数のマイクロプロセッサ、または何か他のこうした構成、としても実装され得る。
【０１２３】
[00132]  本明細書における開示に関連して説明された方法またはアルゴリズムのステップは、ハードウェアで直接的に、プロセッサによって実行されるソフトウェアモジュールで、または両者の組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で知られている何か他の形態の記憶媒体中に存在し得る。プロセッサが記憶媒体から情報を読み出すこと、および記憶媒体に情報を書き込むこと、ができるように、例示的な記憶媒体はプロセッサに結合されている。代わりとして記憶媒体はプロセッサと一体であり得る。プロセッサおよび記憶媒体は、ＡＳＩＣ内に存在し得る。ＡＳＩＣは、ユーザ端末に存在し得る。代わりとして、プロセッサと記憶媒体は、ユーザ端末においてディスクリートコンポーネントとして存在し得る。
【０１２４】
[00133]  １つまたは複数の例となる設計において、説明された機能は、ハードウェア、ソフトウェア、ファームウェア、またはこれらの任意の組み合わせで実装され得る。ソフトウェアで実装される場合、機能は、コンピュータ可読媒体上で、１つまたは複数の命令またはコードとして記憶または送信され得る。コンピュータ可読媒体は、１つの場所から別の場所へのコンピュータプログラムの転送を容易にする任意の媒体を含む通信媒体およびコンピュータ記憶媒体の両方を含む。コンピュータ可読記憶媒体は、汎用または専用コンピュータによってアクセスされ得る任意の利用可能な媒体であることができる。限定ではなく例として、このようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは命令またはデータ構造の形態で所望のプログラムコード手段を搬送または記憶するために使用され得、汎用または特定用途のコンピュータあるいは汎用または特定用途のプロセッサによってアクセスされ得る何か他の媒体を備えることができる。また、接続手段は、コンピュータ可読媒体と適切に名付けられ得る。例えば、ソフトウェアがウェブサイト、サーバ、または他のリモートソースから、同軸ケーブル、光ファイバーケーブル、ツイストペア、またはデジタル加入者回線（ＤＳＬ）を使用して送信される場合、同軸ケーブル、光ファイバーケーブル、ツイストペア、またはＤＳＬは、媒体の定義に含まれる。本明細書で使用される場合、ディスク（disk）およびディスク（disc）は、コンパクトディスク（disc）（ＣＤ）、レーザーディスク（登録商標）（disc）、光学ディスク（disc）、デジタル多目的ディスク（disc）（ＤＶＤ）、フロッピー（登録商標）ディスク（disk）およびブルーレイディスク（disc）を含み、ここにおいて、ディスク（disk）は、大抵磁気的にデータを再生し、一方ディスク（disc）は、レーザを用いて光学的にデータを再生する。上記の組み合わせは、また、コンピュータ可読媒体の範囲内に含まれるべきである。
【０１２５】
[00134]  請求項を含む本明細書で使用される場合、「および／または」という用語は、２つ以上の項目からなるリストで使用されるとき、リストされた項目のうちのいずれか１つが単独で用いられうること、または、リストされた項目のうちの２つ以上からの任意の組み合わせが用いられうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、請求項を含む本明細書で使用される場合、「のうちの少なくとも１つ」で始まる項目のリストにおいて使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１２６】
[00135]    本開示の先の説明は、いずれの当業者も本開示を製造または使用することをできるようにするために提供されている。本開示に対する様々な修正は、当業者に容易に明らかであり、本明細書で定義されている包括的な原理は、本開示の趣旨または範囲から逸脱することなく、他のバリエーションに適用され得る。従って、本開示は、本明細書で説明された例および設計に限定されるように意図されたものではなく、本明細書で開示された原理および新規の特徴と一致する最大範囲を与えられるものとする。
以下に本願の出願当初の特許請求の範囲に記載された発明を付記する。
［Ｃ１］
ワイヤレス通信の方法であって、
無認可帯域でのデータのセットの送信を控えた送信機によって、前記送信機のネットワークに割り当てられたクリアチャネル評価（ＣＣＡ）機会においてクリアＣＣＡを検出することと、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択することと、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信することと、
を備える、方法。
［Ｃ２］
ＣＵＢＳ送信のための前記周波数サブキャリアのセットは、ＣＵＢＳ送信のために利用可能な全てのサブキャリアのサブセットである、Ｃ１に記載の方法。
［Ｃ３］
前記サブセットは、複数の重複しないサブセットのうちの１つである、Ｃ２に記載の方法。
［Ｃ４］
前記複数の重複しないサブセットの数が利用可能なＣＣＡ機会の総数の数以上であるとき、各ＣＣＡ機会が前記複数の重複しないサブセットのうちの一意の重複しないサブセットに関連付けられる、Ｃ３に記載の方法。
［Ｃ５］
前記複数の重複しないサブセットの前記数が利用可能なＣＣＡ機会の前記総数の前記数未満であるとき、各ＣＣＡ機会と前記複数の重複しないサブセットとの間のアソシエーションは、時間スロット依存である、Ｃ３に記載の方法。
［Ｃ６］
前記ＣＣＡ機会が、どの他のＣＣＡ機会もマッピングされない前記複数の重複しないサブセットのうちの１つの重複しないサブセットにマッピングされる、各ＣＣＡ機会のための時間スロットが存在する、Ｃ５に記載の方法。
［Ｃ７］
前記クリアＣＣＡに応答して前記送信機によって、前記データのセットのための送信の予定持続期間を決定することと、
前記送信機によって、前記送信の前記予定持続期間に基づいて、前記送信機に関連付けられた前記ＣＵＢＳの前記構成を選択することと、
をさらに含む、Ｃ１に記載の方法。
［Ｃ８］
前記構成を選択することは、
前記持続期間が予め決められた時間を超えることに失敗するとき、第１の構成を選択することと、
前記持続期間が前記予め決められた時間を超えるとき、第２の構成を選択することと、
を含む、Ｃ７に記載の方法。
［Ｃ９］
前記送信特性に従って送信することは、
前記ＣＣＡ機会に関連付けられたサブフレームの１つまたは複数のシンボルの各々において前記ＣＵＢＳを送信することと、ここにおいて、前記送信することは、前記ＣＣＡ機会に関連する前記１つまたは複数のシンボルの第１のシンボルにおいて始まる、
利用可能なＣＣＡ機会のセットに関連付けられた複数の直交チャネルから１つの直交チャネルを選択することと、ここにおいて、前記選択された直交チャネルは、前記検出されたＣＣＡ機会に対応する、
前記送信機によって、２つ以上のアンテナで前記ＣＵＢＳを送信することと、ここにおいて、前記２つ以上のアンテナの各々で送信された前記ＣＵＢＳは、前記２つ以上のアンテナのうちのその他で送信された前記ＣＵＢＳから位相シフトされる、
前記送信機によって、単一のポートを使用する２つ以上のアンテナで送信された前記ＣＵＢＳを送信することと、ここにおい送信された各ＣＵＢＳは、互いに時間オフセットされる、
のうちの１つを含む、Ｃ７に記載の方法。
［Ｃ１０］
前記ＣＵＢＳの周波数トーンマップの各奇数のリソース要素をゼロに設定することと、
前記送信することの前に、時間ドメイン信号に前記ＣＵＢＳの前記周波数トーンマップを変換することと、ここにおいて、前記時間ドメイン信号は、伸ばされたサイクリックプリフィックスを含む、
によって、前記ＣＵＢＳを生成すること、
をさらに含む、Ｃ７に記載の方法。
［Ｃ１１］
ワイヤレス通信の方法であって、
受信機によって、前記受信機のネットワークに割り当てられたクリアチャネル評価（ＣＣＡ）機会において、チャネル使用ビーコン信号（ＣＵＢＳ）を検出することと、ここにおいて、前記ＣＵＢＳの構成は、前記受信機と通信状態にある送信機を識別する、
前記ＣＵＢＳに基づいて、前記受信機によって自動利得制御（ＡＧＣ）を設定することと、
前記受信機によって、前記構成に基づいて前記送信機からの予定送信時間を決定することと、
前記受信機によって、前記ＡＧＣを使用して、前記予定送信時間内に前記送信機からデータ送信を受信することと、
前記予定送信時間の後、前記受信することを非活性化することと、
を備える、方法。
［Ｃ１２］
前記決定することは、
前記ＣＵＢｓの第１の構成を検出することと、ここにおいて、前記第１の構成は、長さ半分のフレームの前記予定送信時間を示し、さらに１つまたは複数のシステム信号が前記長さ半分のフレーム内に位置付けられることを示す、または
前記ＣＵＢｓの第２の構成を検出することと、ここにおいて、前記第２の構成は、フルの長さのフレームの前記予定送信時間を示し、さらに１つまたは複数のシステム信号が前記フルの長さのフレーム内に位置付けられることを示す、
のうちの１つを含む、Ｃ１１に記載の方法。
［Ｃ１３］
前記を識別する前記ＣＵＢＳのために、前記ＣＣＡ機会の複数のリソース要素を探索することをさらに含み、前記探索することは、
前記複数のリソース要素中の第１のリソース要素から３つのリソース要素ごとに前記ＣＵＢＳを示すパターンを探索することと、
１つのリソース要素によって、前記第１のリソース要素からシフトされた第２のリソース要素から３つのリソース要素ごとに前記ＣＵＢＳを示す前記パターンを探索することと、
１つのリソース要素によって、前記第２のリソース要素からシフトされた第３のリソース要素から３つのリソース要素ごとに前記ＣＵＢＳを示す前記パターンを探索することと、
をさらに含む、Ｃ１１に記載の方法。
［Ｃ１４］
近隣ネットワークＣＣＡ機会において近隣ネットワークＣＵＢＳを検出することと、
前記ＣＵＢＳと前記近隣ネットワークＣＵＢＳとの間の観測された電力差異を決定することと、
前記送信機によって、前記観測された電力差異が予め決定されたしきい値を超えることに失敗するとき、どの干渉除去も行わないことと、
前記送信機によって、前記観測された電力差異が前記予め決定されたしきい値を超えるとき、干渉除去を行うことと、
をさらに含む、Ｃ１１に記載の方法。
［Ｃ１５］
Ｃ１乃至１４に記載の前記方法をコンピュータに行わせるためのプログラムコードを記録したコンピュータ可読媒体。
［Ｃ１６］
ワイヤレス通信のために構成された装置であって、
無認可帯域でのデータのセットの送信を控えた送信機によって、前記送信機のネットワークに割り当てられたクリアチャネル評価（ＣＣＡ）機会においてクリアＣＣＡを検出するための手段と、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択するための手段と、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信するための手段と、
を備える、装置。
［Ｃ１７］
ＣＵＢＳ送信のための前記周波数サブキャリアのセットは、ＣＵＢＳ送信のために利用可能な全てのサブキャリアのサブセットである、Ｃ１６に記載の装置。
［Ｃ１８］
前記サブセットは、複数の重複しないサブセットのうちの１つである、Ｃ１７に記載の装置。
［Ｃ１９］
前記複数の重複しないサブセットの数が、利用可能なＣＣＡ機会の総数の数以上である、Ｃ１８に記載の装置。
［Ｃ２０］
各ＣＣＡ機会は、前記複数の重複しないサブセットのうちの一意の重複しないサブセットに関連付けられる、Ｃ１９に記載の装置。
［Ｃ２１］
前記複数の重複しないサブセットの前記数が、利用可能なＣＣＡ機会の前記総数の前記数未満である、Ｃ１８に記載の装置。
［Ｃ２２］
各ＣＣＡ機会と前記複数の重複しないサブセットとの間のアソシエーションは、時間スロット依存である、Ｃ２１に記載の装置。
［Ｃ２３］
前記ＣＣＡ機会が、どの他のＣＣＡ機会もマッピングされない前記複数の重複しないサブセットのうちの１つの重複しないサブセットにマッピングされる、各ＣＣＡ機会のための時間スロットが存在する、Ｃ２２に記載の装置。
［Ｃ２４］
前記クリアＣＣＡに応答して前記送信機によって、前記データのセットのための送信の予定持続期間を決定するための手段と、
前記送信機によって、前記送信の前記予定持続期間に基づいて、前記送信機に関連付けられた前記ＣＵＢＳの前記構成を選択するための手段と、
をさらに備える、Ｃ１６に記載の装置。
［Ｃ２５］
前記構成を選択するための手段は、
前記持続期間が予め決められた時間を超えることに失敗するとき、第１の構成を選択するための手段と、
前記持続期間が前記予め決められた時間を超えるとき、第２の構成を選択するための手段と、
を含む、Ｃ２４に記載の装置。
［Ｃ２６］
前記送信特性に従って送信するための手段は、
前記ＣＣＡ機会に関連付けられたサブフレームの１つまたは複数のシンボルの各々において前記ＣＵＢＳを送信するための手段と、ここにおいて、前記送信するための手段は、前記ＣＣＡ機会に関連する前記１つまたは複数のシンボルの第１のシンボルにおいて始まる、
を含む、Ｃ２４に記載の装置。
［Ｃ２７］
前記送信特性に従って送信するための手段は、
利用可能なＣＣＡ機会のセットに関連付けられた複数の直交チャネルから１つの直交チャネルを選択するための手段と、ここにおいて、前記選択された直交チャネルは、前記検出されたＣＣＡ機会に対応する、
を含む、Ｃ２４に記載の装置。
［Ｃ２８］
前記送信特性に従って送信するための手段は、
前記送信機によって、２つ以上のアンテナで前記ＣＵＢＳを送信するための手段と、ここにおいて、前記２つ以上のアンテナの各々で送信された前記ＣＵＢＳは、前記２つ以上のアンテナのうちのその他で送信された前記ＣＵＢＳから位相シフトされる、
を含む、Ｃ２４に記載の装置。
［Ｃ２９］
前記送信特性に従って送信するための手段は、
前記送信機によって、単一のポートを使用する２つ以上のアンテナで送信される前記ＣＵＢＳを送信するための手段と、ここにおいて、送信された各ＣＵＢＳは、互いに時間オフセットされる、
を含む、Ｃ２４に記載の装置。
［Ｃ３０］
前記ＣＵＢＳの周波数トーンマップの各奇数のリソース要素をゼロに設定することと、
前記送信するための手段の前に、時間ドメイン信号に前記ＣＵＢＳの前記周波数トーンマップを変換することと、ここにおいて、前記時間ドメイン信号は、伸ばされたサイクリックプリフィックスを含む、
によって前記ＣＵＢＳを生成するための手段、
をさらに含む、Ｃ２４に記載の装置。
【図１】
0006502336.tif 000004
【図２Ａ】
0006502336.tif 000005
【図２Ｂ】
0006502336.tif 000006
【図３】
0006502336.tif 000007
【図４】
0006502336.tif 000008
【図５】
0006502336.tif 000009
【図６】
0006502336.tif 000010
【図７Ａ】
0006502336.tif 000011
【図７Ｂ】
0006502336.tif 000012
【図８】
0006502336.tif 000013
【図９Ａ】
0006502336.tif 000014
【図９Ｂ】
0006502336.tif 000015
【図１０】
0006502336.tif 000016
【図１１Ａ】
0006502336.tif 000017
【図１１Ｂ】
0006502336.tif 000018
【図１１Ｃ】
0006502336.tif 000019
【図１２】
0006502336.tif 000020